(57)【要約】      （修正有）【課題】効率的に上りリンク送信または下りリンク受信を行うことができる端末装置、基地局装置、通信方法および集積回路を提供する。【解決手段】端末装置は、ＰＤＣＣＨを受信し、ＰＤＣＣＨに含まれる情報によって割り当てられるリソースにおいて、物理チャネルを送信、または、受信する送受信部を備える。前記リソースの帯域は、リソースブロックによって示され、リソースの帯域が対応するリソースブロックが、フラクション物理リソースブロックを含むかどうかを、少なくとも物理チャネルの送信または受信に用いられるサブキャリア間隔情報に基づいて、決定する。【選択図】図６
2020036056.tif 000002
【特許請求の範囲】
【請求項１】
ＰＤＣＣＨを受信し、
前記ＰＤＣＣＨに含まれる情報によって割り当てられるリソースにおいて、物理チャネルを送信、または、受信する送受信部を備え、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
端末装置。
【請求項２】
前記フラクション物理リソースブロックに決定された前記リソースブロックにおいて、物理チャネルがマップされないサブキャリアの数Xは、第１０の要素と第１１の要素と第
１２の要素と第１３の要素と第１４の要素と第１５の要素と第１６の要素の一部または全部に少なくとも基づき与えられ、
前記第１０の要素は前記物理チャネルの送信または受信に用いられるサブキャリア間隔情報であり、
前記第１１の要素は前記インデックス情報によって示された前記インデックスのリソースブロックのそれぞれに対して個別に設定される情報であって、Ｘを示す情報であり、
前記第１２の要素は前記物理チャネルの送信または受信に用いられるMCSの情報であり
、
前記第１３の要素はＤＣＩフォーマットに含まれる情報であり、
前記第１４の要素はＲＲＣシグナリング（RRCメッセージ）であり、
前記第１５の要素は前記物理チャネルの送信または受信に用いられるトランスミッションスキームであり、
前記第１６の要素は前記物理チャネルのベースバンド信号生成方法である
請求項１に記載の端末装置。
【請求項３】
ＰＤＣＣＨを送信し、
前記ＰＤＣＣＨに含まれる情報によって割り当てられるリソースにおいて、物理チャネルを送信、または、受信する送受信部を備え、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要
素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
基地局装置。
【請求項４】
前記フラクション物理リソースブロックに決定された前記リソースブロックにおいて、物理チャネルがマップされないサブキャリアの数Xは、第１０の要素と第１１の要素と第
１２の要素と第１３の要素と第１４の要素と第１５の要素と第１６の要素の一部または全部に少なくとも基づき与えられ、
前記第１０の要素は前記物理チャネルの送信または受信に用いられるサブキャリア間隔情報であり、
前記第１１の要素は前記インデックス情報によって示された前記インデックスのリソースブロックのそれぞれに対して個別に設定される情報であって、Ｘを示す情報であり、
前記第１２の要素は前記物理チャネルの送信または受信に用いられるMCSの情報であり
、
前記第１３の要素はＤＣＩフォーマットに含まれる情報であり、
前記第１４の要素はＲＲＣシグナリング（RRCメッセージ）であり、
前記第１５の要素は前記物理チャネルの送信または受信に用いられるトランスミッションスキームであり、
前記第１６の要素は前記物理チャネルのベースバンド信号生成方法である
請求項３の基地局装置。
【請求項５】
端末装置に用いられる通信方法であって、
ＰＤＣＣＨを受信し、前記ＰＤＣＣＨに含まれる情報によって割り当てられるリソースにおいて、物理チャネルを送信、または、受信し、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
通信方法。
【請求項６】
基地局装置に用いられる通信方法であって、
ＰＤＣＣＨを送信し、
前記ＰＤＣＣＨに含まれる情報によって割り当てられるリソースにおいて、物理チャネルを送信、または、受信し、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
通信方法。
【請求項７】
端末装置に実装される集積回路であって、
ＰＤＣＣＨを受信し、
前記ＰＤＣＣＨに含まれる情報によって割り当てられるリソースにおいて、物理チャネルを送信、または、受信する送受信回路を備え、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
集積回路。
【請求項８】
基地局装置に実装される集積回路であって、
ＰＤＣＣＨを送信し、
前記ＰＤＣＣＨに含まれる情報によって割り当てられるリソースにおいて、物理チャネルを送信、または、受信する送受信回路を備え、
前記リソースの帯域は、リソースブロックによって示され、
前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、
前記第１の要素は前記物理チャネルの送信または受信に用いられるサブキャリア間隔情報であり、
前記第２の要素はフラクション物理リソースブロックに設定されたリソースブロックのインデックスを示すインデックス情報であり、
前記第３の要素は時間領域における前記割り当てられたリソースを構成するシンボルの数であり、
前記第４の要素は周波数領域における前記割り当てられたリソースに対応するリソースブロックの数であり、
前記第５の要素は前記物理チャネルのタイプ、および／または、隣接の物理チャネルのタイプであり、
前記第６の要素は前記物理チャネルの送信または受信に用いられるMCSの情報であり、
前記第７の要素はＲＲＣシグナリング（RRCメッセージ）であり、
前記第８の要素はＤＣＩフォーマットに含まれる情報であり、
前記第９の要素は前記物理チャネルの送信または受信に用いるベアラ（データ）のタイプである
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE: 登録商標）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、基地局装置をｅＮ
ｏｄｅＢ（evolved NodeB）、端末装置をＵＥ（User Equipment）とも称する。ＬＴＥは
、基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲにおいて、異なるサブキャリア間隔（Sub-Carrier Spacing
）が周波数領域において、混在してもよい。隣接する周波数リソースにおいて、異なるサブキャリア間隔による干渉が生じる場合がある。異なるサブキャリア間隔による干渉を低減し、周波数リソースを効率的に利用するために、フラクション物理リソースブロックの検討が行われている（非特許文献２）。
【先行技術文献】
【非特許文献】
【０００４】
【非特許文献１】"New SID proposal: Study on New Radio Access Technology", RP-160671, NTT docomo, 3GPP TSG RAN Meeting#71, Goteborg, Sweden, 7th - 10th March, 2016.
【非特許文献２】"About INI and fractional PRB", R1-1611285, ZTE, ZTE Microelectronics, 3GPP TSG RAN WG1 Meeting#87, Reno, USA, 14th - 18th November 2016.
【発明の概要】
【発明が解決しようとする課題】
【０００５】
本発明は、効率的に上りリンク送信または下りリンク受信を行うことができる端末装置、該端末装置に用いられる通信方法、該端末装置に実装される集積回路、効率的に上りリンク送信の受信または下りリンク送信を行うことができる基地局装置、該基地局装置に用いられる通信方法、および、該基地局装置に実装される集積回路を提供する。
【課題を解決するための手段】
【０００６】
（１）本発明の第１の態様は、端末装置であって、ＰＤＣＣＨを受信し、前記ＰＤＣＣＨに含まれる情報によって割り当てられるリソースにおいて、物理チャネルを送信、または、受信する送受信部を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４
の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【０００７】
（２）本発明の第２の態様は、基地局装置であって、ＰＤＣＣＨを送信し、前記ＰＤＣＣＨに含まれる情報によって割り当てられるリソースにおいて、物理チャネルを送信、または、受信する送受信部を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【０００８】
（３）本発明の第３の態様は、端末装置に用いられる通信方法であって、ＰＤＣＣＨを受信し、前記ＰＤＣＣＨに含まれる情報によって割り当てられるリソースにおいて、物理チャネルを送信、または、受信し、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【０００９】
（４）本発明の第４の態様は、基地局装置に用いられる通信方法であって、ＰＤＣＣＨを送信し、前記ＰＤＣＣＨに含まれる情報によって割り当てられるリソースにおいて、物理チャネルを送信、または、受信し、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の
要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【００１０】
（５）本発明の第５の態様は、端末装置に実装される集積回路であって、ＰＤＣＣＨを受信し、前記ＰＤＣＣＨに含まれる情報によって割り当てられるリソースにおいて、物理チャネルを送信、または、受信する送受信回路を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【００１１】
（６）本発明の第６の態様は、基地局装置に実装される集積回路であって、ＰＤＣＣＨを送信し、前記ＰＤＣＣＨに含まれる情報によって割り当てられるリソースにおいて、物理チャネルを送信、または、受信する送受信回路を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットであり、前記第９の要素は前記物理チャネルの送信または受信に用いるベアラ（データ）のタイプである。
【発明の効果】
【００１２】
この発明によれば、端末装置は効率的に上りリンク送信または下りリンク受信を行うことができる。また、基地局装置は効率的に上りリンク送信の受信または下りリンク送信を行うことができる。
【図面の簡単な説明】
【００１３】
【図１】本実施形態の無線通信システムの概念図である。
【図２】本実施形態におけるフラクション物理リソースブロックの概略構成の一例を示す図である。
【図３】本実施形態における上りリンクリソースブロックの概略構成を示す図である。
【図４】本実施形態における要素２に基づくフラクション物理リソースブロックが決定される一例を示す図である。
【図５】本実施形態の基地局装置３の構成を示す概略ブロック図である。
【図６】本実施形態の端末装置１の構成を示す概略ブロック図である。
【図７】本実施形態における端末装置１が周波数リソースに用いられるサブキャリア間隔の情報に基づくフラクション物理リソースブロックがあるかどうかを決定する他の一例を示す図である。
【図８】本実施形態における端末装置１に割り当てられたリソースの帯域に対応する物理リソースブロックがフラクション物理リソースブロックを含む場合、割り当てられたリソースに対応するリソースエレメントへのマッピングの一例を示す図である。
【図９】本実施形態におけるＰＤＳＣＨとＰＢＣＨの周波数リソースが重複する時、フラクション物理リソースブロックを決定する一例を示す図である。
【図１０】本実施形態における１つのコンポーネントキャリアに対して１つより多いサブキャリア間隔が設定される一例を示す図である。
【図１１】本実施形態におけるフラクション物理リソースブロックに適用可能な物理リソースブロックの位置を示す一例である。
【図１２】本実施形態における物理チャネルの送信または受信に割り当てられたリソースに対応するリソースブロックで両端のリソースブロックがフラクション物理リソースブロックに設定された一例を示す図である。
【発明を実施するための形態】
【００１４】
以下、本発明の実施形態について説明する。
【００１５】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００１６】
基地局装置３は、基地局、基地局装置、ノードＢ、ｅＮＢ（ＥＵＴＲＡＮ  ＮｏｄｅＢ、ｅｖｏｌｖｅｄ  ＮｏｄｅＢ）、ｇＮＢと称されてもよい。端末装置１は、端末、端末装置、移動局、ユーザ装置、ＵＥ（Ｕｓｅｒ  ｅｑｕｉｐｍｅｎｔ）と称されてもよい。
【００１７】
基地局装置３は端末装置１が該基地局装置３で通信可能なエリアであるセルを周波数毎に管理する。１つの基地局装置３が複数のセルを管理していてもよい。セルは、端末装置１と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置１がある基地局装置３と通信可能であるとき、その基地局装置３のセルのうち、端末装置１との通信に使用されるように設定されているセルは在圏セル（Ｓｅｒｖｉｎｇ  ｃｅｌｌ、サービングセル）であり、その他の通信に使用されないセルは周辺セル（Ｎｅｉｇｈｂｏｒｉｎｇ  ｃｅｌｌ）と称される。
【００１８】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。端末装置１は、複数のサービングセル（コンポーネントキャリア）において同時に複数の物理チャネルでの送信、および／または受信を行うことができる。１つの物理チャネルは、複数の
サービングセル（コンポーネントキャリア）のうち１つのサービングセル（コンポーネントキャリア）において送信されてもよい。
【００１９】
また、ＮＲ（Ｎｅｘｔ  Ｇｅｎｅｒａｔｉｏｎ  Ｒａｄｉｏ  Ａｃｃｅｓｓ  Ｔｅｃｈｎｏｌｏｇｙ）をサポートしているセルをＮＲセルとも称する。ＮＲセルのキャリアをＮＲキャリアと称する。ＮＲセルのコンポーネントキャリアをＮＲコンポーネントキャリアとも称する。ＮＲセルは、ライセンスバンド（licensed band）を含んでもよい。また、
ＮＲセルは、アンライセンスバンド（unlicensed band）を含んでもよい。
【００２０】
ＮＲセル、ＮＲキャリア、および／または、ＮＲコンポーネントキャリアでは、サブフレーム、スロット、ミニスロット、シンボルの長さ（時間長、期間）がそれぞれ規定（定義、設定）されてもよい。ここで、シンボルは、ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボル、または、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルであってもよい。なお、ミニスロットは、サブスロットと称されてもよい。ＯＦＤＭは、ＣＰ−ＯＦＤＭ（Ｃｙｃｌｉｃ  Ｐｒｅｆｉｘ−ＯＦＤＭ）と称されてもよい。ＳＣ−ＦＤＭＡは、ＤＦＴ−Ｓ−ＯＦＤＭ（Ｄｉｓｃｒｅｔｅ  Ｆｏｕｒｉｅｒ  Ｔｒａｎｓｆｏｒｍ−Ｓｐｒｅａｄ−ＯＦＤＭ）であってもよい。
【００２１】
次に、本実施形態に係わるサブフレームについて説明する。本実施形態に係るサブフレームの長さ（時間長、期間）は、１ｍｓであってもよい。無線フレームのそれぞれは、１０ｍｓであってもよい。つまり、無線フレームのそれぞれは１０のサブフレームから構成されてもよい。
【００２２】
また、１つのサブフレームに含まれるシンボルの数は、送信および／または受信に用いられる物理チャネルに対するサブキャリア間隔（Subcarrier Spacing）に基づいて規定されてもよい。例えば、該サブキャリア間隔が１５ｋＨｚの場合には、１つのサブフレームに含まれるシンボルの数は１４シンボルであってもよい。また、該サブキャリア間隔が３０ｋＨｚの場合には、１つのサブフレームに含まれるシンボルの数は２８シンボルであってもよい。サブフレームは、１、または、複数のスロットを含んでもよい。
【００２３】
次に、本実施形態に係わるスロットおよびミニスロットについて説明する。スロットは、１つまたは１つより多いミニスロット、および／または、１つまたは１つよりも多い物理チャネル、および／または、１つまたは１つよりも多いシンボルで構成されてもよい。１つのスロットの長さ（時間長）は、１つのスロットを構成するシンボルの数、１つのシンボルの長さ、該１つのシンボルに付与される１つのＣＰの長さに基づいて規定されてもよい。該１つのシンボルの長さ、および、該１つのＣＰの長さは、スロットに対して適用されるサブキャリア間隔に関連して規定されてもよい。つまり、スロットに用いられるシンボルおよびＣＰの長さは、サブフレームとは個別に設定または規定されてもよい。
【００２４】
ここで、１つのスロットを構成するシンボルの数は、スロットの構成に用いられるサブキャリア間隔に基づいて規定されてもよい。例えば、サブキャリア間隔が６０ｋＨｚまでは、１つのスロットを構成するシンボルの数は、７シンボル、または、１４シンボルであってもよい。また、サブキャリア間隔が６０ｋＨｚを超える場合には、１つのスロットを構成するシンボルの数は、１４シンボルであってもよい。また、１つのスロットを構成するシンボルの数は、１つのサブフレームを構成するシンボルの数とは個別に設定されてもよい。例えば、１つのスロットを構成するシンボルの数は、共通および／または個別の上位層シグナリングを介して設定されてもよい。また、１つのスロットを構成するシンボルの数は、共通および／または個別の物理層シグナリングを介して設定されてもよい。
【００２５】
次に、本実施形態に係るミニスロットについて説明する。ミニスロットは、１つまたは１つより多いシンボルで構成されてもよい。１つのミニスロットの長さ（時間長）は、１つのミニスロットを構成するシンボルの数、１つのシンボルの長さ、該１つのシンボルに付与される１つのＣＰの長さに基づいて規定されてもよい。該１つのシンボルの長さ、および、該１つのＣＰの長さは、ミニスロットに対して適用されるサブキャリア間隔に関連して規定されてもよい。つまり、ミニスロットに用いられるシンボルおよびＣＰの長さは、サブフレームやスロットとは個別に設定または規定されてもよい。
【００２６】
ここで、１つのミニスロットを構成するシンボルの数は、スロットを構成するシンボルの数よりも少ない数であってもよい。また、１つのミニスロットを構成するシンボルの数は、１つのスロットを構成するシンボルの数に基づいて規定または設定されてもよい。また、１つのミニスロットを構成するシンボルの数は、１つのスロットを構成するシンボルの数とは個別に設定されてもよい。例えば、１つのミニスロットを構成するシンボルの数は、共通および／または個別の上位層シグナリングを介して設定されてもよい。また、１つのミニスロットを構成するシンボルの数は、共通および／または個別の物理層シグナリングを介して設定されてもよい。なお、サブフレームの中に１つよりも多いミニスロットを含むことができる場合には、１つのサブフレームに含まれるミニスロット間で、１つのミニスロットを構成するシンボルの数は、少なくとも１つのサブフレーム内では共通、または、同じ数であることが好ましい。また、１つのミニスロットを構成するシンボルの数は、ミニスロットに対して適用または設定されるサブキャリア間隔に関連して規定されてもよい。
【００２７】
次に、本実施形態に係る物理チャネルおよび物理信号について説明する。下りリンクに関する物理チャネルおよび物理信号をそれぞれ、下りリンク物理チャネルおよび下りリンク物理信号と称してもよい。また、上りリンクに関する物理チャネルおよび物理信号をそれぞれ、上りリンク物理チャネルおよび上りリンク物理信号と称してもよい。
【００２８】
下りリンクに対する物理チャネルは、例えば、報知情報、システム情報、ページング情報、各種設定情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ユーザデータ、制御データを送信するために用いられてもよい。用途に応じてそれぞれ、物理チャネルに用いられるリソース割り当て方法や系列生成方法が定義されてもよい。下りリンクユーザデータには、下りリンク共用データが含まれてもよい。制御データには、下りリンク制御情報（ＤＣＩ、Downlink Control Information）が含まれてもよい。下りリンク制御情報を、ＤＣＩフォーマットとも称する。制御データには、下りリンクおよび／または上りリンクのスケジューリングに用いられるグラントが含まれてもよい。即ち、下りリンク制御情報は、上りリンクグラント（uplink grant）、および、下りリンクグラント（downlink grant）を含む。例えば、報知情報は、物理報知チャネル（ＰＢＣＨ、Physical Broadcast Channel）で送信されてもよい。ページング情報は、物理ページングチャネルで送信されてもよい。ユーザデータは、物理共用チャネルで送信されてもよい。制御データは、物理制御チャネルで送信されてもよい。制御データ（ＤＣＩ）の送信に用いられる物理制御チャネルは、ＰＤＣＣＨ（Physical Downlink Control Channel）とも称してもよい。また、報知情報、システム情
報、ページング情報は、物理共用チャネルで送信されてもよい。物理共用チャネルは、ＰＤＳＣＨ（Physical Downlink Shared Channel）、および／または、ＰＵＳＣＨ（Physical Uplink Shared Channel）とも称してもよい。
【００２９】
下りリンクに対する物理信号は、例えば、下りリンク物理チャネルの復調、時間周波数同期（シンボルアラインメント、サブキャリア間隔同期、スロット同期、サブフレーム同期）、タイミング同期（タイミング調整）、セルＩＤの捕捉／検出、ＲＲＭ（Ｒａｄｉｏ
Ｒｅｓｏｕｒｃｅ  Ｍａｎａｇｅｍｅｎｔ）測定、ＣＳＩ（Ｃｈａｎｎｅｌ  Ｓｔａｔｅ  Ｉｎｆｏｒｍａｔｉｏｎ）測定、ビームマネジメントおよび／またはビーム捕捉、ポジショニングのために用いられてもよい。用途に応じてそれぞれ、物理信号に用いられるリソース割り当て方法や系列生成方法が定義されてもよい。以下、物理信号は、参照信号とも称する。
【００３０】
上りリンクに対する物理チャネルは、例えば、端末装置の能力情報、ＡＣＫ（Ａｃｋｎｏｗｌｅｄｇｅｍｅｎｔ）／ＮＡＣＫ（Ｎｅｇａｔｉｖｅ  Ａｃｋｎｏｗｌｅｄｇｅｍｅｎｔ）、ＲＲＭ測定やＣＳＩ測定の測定結果の報告、ユーザデータ、制御データ、ランダムアクセスプリアンブル（ランダムアクセス情報）を送信するために用いられてもよい。用途に応じてそれぞれ、物理チャネルに用いられるリソース割り当て方法や系列生成方法が定義されてもよい。上りリンクユーザデータには、上りリンク共用データが含まれてもよい。ユーザデータおよび／または制御データには、上りリンク制御情報（ＵＣＩ）が含まれてもよい。ＵＣＩは、ＨＡＲＱ（Ｈｙｂｒｉｄ  Ａｕｔｏ  Ｒｅｐｅａｔ  ｒｅＱｕｅｓｔ）やＣＳＩに関するフィードバック情報が含まれてもよい。ユーザデータは、物理共用チャネルで送信されてもよい。制御データは、物理制御チャネルで送信されてもよい。ランダムアクセスプリアンブルは、物理ランダムアクセスチャネルで送信されてもよい。
【００３１】
上りリンクに対する物理信号は、例えば、上りリンク物理チャネルの復調、時間周波数同期、タイミング同期およびタイミング調整、チャネル状態測定、ビームマネジメントおよび／またはビーム捕捉、端末装置のポジショニングのために用いられてもよい。用途に応じてそれぞれ、物理信号に用いられるリソース割り当て方法や系列生成方法が定義されてもよい。
【００３２】
下りリンクと上りリンクで、リソース割り当て方法や系列生成方法は異なってもよい。また、各物理チャネルは、ある情報、または、あるデータを含む物理チャネルと称されてもよい。
【００３３】
また、本実施形態の下りリンクにおいて、「トランスポートブロック(transport block)」、「ＭＡＣ  ＰＤＵ（Protocol Data Unit）」、「ＭＡＣ層のデータ」、「ＤＬ−Ｓ
ＣＨ」、「ＤＬ−ＳＣＨデータ」、および、「下りリンクデータ」は、同一のものとする。なお、上りリンクにおいて、「トランスポートブロック」、「ＭＡＣ  ＰＤＵ（Protocol Data Unit）」、「ＭＡＣ層のデータ」、「ＵＬ−ＳＣＨ」、「ＵＬ−ＳＣＨデータ」、および、「上りリンクデータ」は、同一のものとする。ＵＬ−ＳＣＨ、および、ＤＬ−ＳＣＨは、トランスポートチャネルである。媒体アクセス制御（Medium Access Control:
MAC）層で用いられるチャネルをトランスポートチャネルと称する。ＭＡＣ層で用いられるトランスポートチャネルの単位を、トランスポートブロック（transport block: TB）
またはＭＡＣ  ＰＤＵ（Protocol Data Unit）とも称する。
【００３４】
次に、本実施形態に係わるリソースブロックについて説明する。図３は、本実施形態における上りリンクリソースブロックの概略構成を示す図である。図３において、１つのセルにおける上りリンクリソースブロックの構成を示す。図３において、横軸は時間軸であり、縦軸は周波数軸である。図３において、ｌはシンボル番号／インデックスであり、ｋはサブキャリア番号／インデックスである。
【００３５】
リソースブロック（ＲＢ）は、物理チャネルのリソースエレメントへのマッピングを表すために用いられる。リソースエレメント（ＲＥ：Ｒｅｓｏｕｒｃｅ  Ｅｌｅｍｅｎｔ）は、１つのサブキャリアおよび１つのシンボルによって構成される。リソースブロックは、仮想リソースブロック（ＶＲＢ）と物理リソースブロック（ＰＲＢ）が定義される。物
理チャネルは、まず仮想リソースブロックにマップされる。その後、仮想リソースブロックは、物理リソースブロックにマップされる。１つの物理リソースブロックは、時間領域においてNULsymbの連続するシンボルと周波数領域においてNRBscの連続するサブキャリアとから定義される。ゆえに、１つの物理リソースブロックは（NULsymb×NRBsc）のリソースエレメントから構成される。NRBscの値は１２であってもよい。上りリンクにおけるノ
ーマルＣＰ（normal Cyclic Prefix）に対して、NULsymbの値は７であってもよい。また
、NULsymbの値は１４であってもよい。上りリンクにおける拡張ＣＰ（extended ＣＰ）に対して、NULsymbの値は６であってもよい。また、NULsymbの値は１２であってもよい。
【００３６】
１つの物理リソースブロックは、サブキャリア間隔に基づいて、時間領域において１つのスロットに対応してもよい。また、１つの物理リソースブロックは、サブキャリア間隔に基づいて、時間領域においてスロットの半分に対応してもよい。また、１つの物理リソースブロックを構成するシンボルの数は、サブキャリア間隔に基づいて、規定されてもよい。例えば、サブキャリア間隔が１５ｋＨｚであった場合、１つの物理リソースブロックを構成するシンボルの数は７に規定されてもよい。また、例えば、サブキャリア間隔が３０ｋＨｚであった場合、１つの物理リソースブロックを構成するシンボルの数は１４に規定されてもよい。
【００３７】
また、時間領域において、１つの物理リソースブロックを構成するシンボル数は物理チャネルの送信または受信のために用いられるシンボル数であってもよい。物理リソースブロックは周波数領域において、周波数の低いほうから順に番号nPRB（0,1,…, NULRB-1）
が付けられる。
【００３８】
ここで、サブキャリア間隔は、３.７５ｋＨｚ、７．５ｋＨｚ、１５ｋＨｚ、３０ｋＨ
ｚ、６０ｋＨｚ、１２０ｋＨｚ、２４０ｋＨｚ内の何れであってもよい。サブキャリア間隔を狭くするとシンボル長は長くなり、サブキャリア間隔を広くするとシンボル長は短くなることは自明である。
【００３９】
時間領域において、上りリンクの物理リソースブロックを構成するシンボルは、ＳＣ−ＦＤＭＡ（ＤＦＴ−Ｓ−ＯＦＤＭ）シンボル、または、ＯＦＤＭシンボルである。時間領域において、下りリンクの物理リソースブロックを構成するシンボルは、ＯＦＤＭシンボルである。この点を除いて、本実施形態における下りリンクの物理リソースブロックの構成は、上りリンクの物理リソースブロックの構成と基本的に同じであるため、下りリンクの物理リソースブロックの構成の説明は省略する。
【００４０】
以下、本実施形態に係わるフラクション物理リソースブロック（fractional PRB）について説明する。
【００４１】
フラクション物理リソースブロック（fractional PRB）は、時間領域において、１つまたは１つより多いシンボルにおいて、物理チャネル、および／または、物理信号の送信または受信のために一部分の連続的なサブキャリア（リソースエレメント）が割り当てられる（マップされる）物理リソースブロックとして定義されてもよい。言い換えると、フラクション物理リソースブロックは、１つまたは１つより多いシンボルにおいて、一部分の連続的なサブキャリア（リソースエレメント）が物理チャネル、および／または、物理信号の送信または受信に用いられない（マップされない、割り当てられない）物理リソースブロックとして定義されてもよい。また、フラクション物理リソースブロックは、１つまたは１つより多いシンボルにおいて、ガードバンド（guard band, guard tones）のため
に一部分の連続的なサブキャリア（リソースエレメント）がリザーブ（reserved）される物理リソースブロックとして定義されてもよい。つまり、フラクション物理リソースブロックは、ガードバンドのためにリザーブされたリソース（サブキャリア）を含む物理リソ
ースブロックである。
【００４２】
図２は本実施形態におけるフラクション物理リソースブロックの概略構成の一例を示す図である。フラクション物理リソースブロック（fractional PRB）は物理リソースブロックである。図２において、横軸は時間軸であり、Nsymb個のシンボル数によって表わされ
る。縦軸は周波数軸であり、NRBsc個のサブキャリア数によって表わされる。図２の示す
よう、フラクション物理リソースブロックに構成されるシンボル数は７に設定される。しかし、本実施形態におけるフラクション物理リソースブロックのシンボル数には、７とは限らない。
【００４３】
図２（ａ）において、X個サブキャリア（２０１）は、ガードバンドのためにリザーブ
される。即ち、（２０１）におけるリソースエレメントは、物理チャネルの送信または受信に用いられなくてもよい。また、（２０１）におけるリソースエレメントは、物理チャネルがマップされなくてもよい。また、（２０１）におけるリソースエレメントは、物理信号の送信または受信に用いられなくてもよい。（２０１）におけるリソースエレメントは、物理信号がマップされなくてもよい。また、（２０１）におけるリソースエレメントは、ある物理信号の送信または受信に用いられてもよい。また、（２０１）におけるリソースエレメントは、第１の物理信号の送信または受信に用いられてもよく、且つ、第２の物理信号の送信または受信に用いられなくてもよい。ここで、第１の物理信号は測定のために用いられる参照信号であり、第２の物理信号は物理チャネルの送信または受信のために用いられるアンテナポートで送信される参照信号であってもよい。例えば、第１の物理信号は、ＣＳＩの測定に用いられる参照信号であってもよい。また、第１の物理信号は、ビームマネジメントおよび／またはビーム捕捉、ポジショニングのために用いられる参照信号であってもよい。また、第１の物理信号は、時間周波数同期、タイミング同期、セルＩＤの捕捉／検出のために用いられる参照信号であってもよい。例えば、第２の物理信号は、物理チャネルの復調のために用いられる参照信号であってもよい。例えば、第２の物理信号は、物理チャネルの伝搬路補正を行うために用いられる参照信号であってもよい。
【００４４】
図２（ａ）において、時間領域において、ガードバンドのためにリザーブされた（２０１）は、１つの物理リソースブロックに構成されるNsymbシンボル全部を含んでいる。ま
た、図２（ａ）において、Ｙ個サブキャリア（２０２）は、物理チャネルの送信または受信のために用いられる。即ち、（２０２）におけるリソースエレメントは、物理チャネルがマップされてもよい。また、（２０２）におけるリソースエレメントは、物理信号（参照信号）の送信または受信に用いられてもよい。また、（２０２）におけるリソースエレメントは、物理信号（参照信号）がマップされてもよい。
【００４５】
また、本実施形態において、図２（ｂ）の示すように、ガードバンドのためにリザーブされたリソースは、時間領域において、１つの物理リソースブロックに構成されるNsymb
シンボル内の１シンボルまたは１つより多いシンボルを含んでもよい。図２（ｂ）において、時間領域における３つのシンボルにおけるＸ個のサブキャリア（２０３）は、ガードバンドのためにリザーブされる。（２０３）以外のリソース（２０４）は、物理チャネル、および／または、物理信号の送信または受信に用いられてもよい。即ち、図２（ｂ）の示すように、当該３つのシンボルにおいて、Ｘ個のサブキャリアは、物理チャネルの送信または受信にマップされ（用いられ）なくてもよい。言い換えると、当該３つのシンボルにおいて、Ｙ個のサブキャリアは、物理チャネルまたは物理信号の送信または受信にマップされ（用いられ）てもよい。ここで、Ｙの値は１２−Ｘである。また、当該３つのシンボル以外のシンボルにおいて、Ｙ個のサブキャリアは、物理チャネル、および／または、物理信号の送信または受信にマップされ（用いられ）てもよい。ここで、Ｙの値は１２である。
【００４６】
図２において、１つの物理リソースブロックにおける周波数が高いサブキャリアは、ガードバンドのためにリザーブされる。本実施形態において、１つの物理リソースブロックにおける周波数が低いサブキャリアは、ガードバンドのためにリザーブされてもよい。また、本実施形態において、フラクション物理リソースブロックに設定される物理リソースブロックは、端末装置１が物理チャネルの送信または受信するために割り当てられた物理リソースにおいて、他のリソースと隣接するリソースブロックである。以下では、周波数領域において、他のリソースは、端末装置１が割り当てられたリソース以外のリソースである。例えば、周波数領域において、端末装置１が物理チャネルの送信または受信するために割り当てられたリソースの帯域が対応するリソースブロックが連続であった場合、フラクション物理リソースブロックに適用可能な物理リソースブロックは割り当てられたリソースにおける両端の物理リソースブロックである。図１１は、本実施形態におけるフラクション物理リソースブロックに適用可能な物理リソースブロックの位置を示す一例である。例えば、図１１において、割り当てられたリソース１１０１が連続するリソースブロックから構成される。周波数領域において、フラクション物理リソースブロックに適用可能な物理リソースブロックは、リソース１１０１が対応するリソースブロックにおける両端の物理リソースブロックであってもよい。また、例えば、周波数領域において、端末装置１に割り当てられたリソースの帯域が対応するリソースブロックが非連続であってもよい。つまり、周波数領域において、端末装置１に割り当てられたリソースに対応するリソースブロックは１つより多いリソースブロックセットから構成されてもよい。１つのリソースブロックセットは、連続する複数のリソースブロックから構成される。リソースブロックセットの間は周波数領域において、非連続になっている。図１１において、割り当てられたリソースは、周波数領域において、２つのリソースブロックセット（リソースブロックセット１１０２およびリソースブロックセット１１０３）を含んでいる。リソースブロックセット１１０２は連続する３つのリソースブロックから構成される。リソースブロックセット１１０３は連続する２つのリソースブロックから構成される。この場合、フラクション物理リソースブロックに適用可能な物理リソースブロックは、リソースブロックセット１１０２およびリソースブロックセット１１０３におけるそれぞれの両端の物理リソースブロックであってもよい。
【００４７】
図８は、本実施形態における端末装置１に割り当てられたリソースの帯域に対応する物理リソースブロックがフラクション物理リソースブロックを含む場合、割り当てられたリソースに対応するリソースエレメントへのマッピングの一例を示す図である。ここで、割り当てられたリソースは端末装置１が物理チャネルの送信または受信をするために用いられる。
【００４８】
図8において、端末装置１に割り当てられたリソースは、時間軸におけるNsymb個のシンボル数、および、周波数軸におけるNRB個の物理リソースブロックによって構成される。
ここで、他のチャネルと隣接する周波数が高いほうの物理リソースブロックはフラクション物理リソースブロックに設定される。フラクション物理リソースブロックに設定された物理リソースブロックにおいて、Ｘ個のサブキャリアはガードバンドのためにリザーブされる。次に、フラクション物理リソースブロックを含む物理リソースブロックに対応するリソースエレメントへのマッピングについて、説明する。
【００４９】
図8において、端末装置１に割り当てられたリソースに対応するリソースエレメントの
数は、割り当てられた周波数領域におけるサブキャリア数と時間領域におけるシンボル数の積により与えられてもよい。また、端末装置１に割り当てられるリソースエレメント数は、割り当てられた周波数領域におけるサブキャリア数と時間領域におけるシンボル数の積から、所定の領域に含まれるリソースエレメントを差し引いた値として与えられてもよい。ここで、所定の領域は、物理信号が含まれる領域であってもよい。また、所定の領域は、報知チャネルが含まれる領域であってもよい。また、所定の領域は、フラクションリ
物理ソースブロックにおいて、ガードバンドのためにリザーブされる領域であってもよい。また、所定の領域は、他の目的のためにリザーブされる領域であってもよい。
【００５０】
端末装置１に割り当てられたリソースに対応するリソースエレメントへのマッピングは、割り当てられたシンボルの番号ｌにおいて、割り当てられたリソースブロック上の周波数サブキャリアのインデックスｋ’の昇順で行わる。具体的に言えば、図８において、端末装置１に割り当てられたリソースに対応するリソースエレメントへのマッピングは、最初に、ｌ＝０のシンボルにおいて、インデックスｋ’＝０からｋ’＝NRB＊NRBSC-1-Xまで行われてもよい。次に、シンボルの番号ｌを１つインクリメントして、当該インクリメントされたシンボルにおいて、マッピングはインデックスｋ’＝０からｋ’＝NRB＊NRBSC-1-Xまで引き続き行われる。つまり、リソースエレメントへのマッピングは、周波数領域を優先して、マップする意味を示す。
【００５１】
次に、端末装置１に割り当てられたリソースの帯域が対応するリソースブロックには、フラクション物理リソースブロックが含まれるかどうかを決定する方法について、説明する。該リソースはPDCCHに含まれる情報によって割り当てられてもよい。該リソースの帯
域は、１つ、および／または、１つより多いリソースブロックによって示される。
【００５２】
本実施形態において、PDCCHに含まれる情報によって割り当てられたリソースの帯域が
対応するリソースブロックが、フラクション物理リソースブロックを含むかどうかは、少なくとも以下の要素の一部、および／または、全部に基づいて、決定されてもよい。
・要素（１）：物理チャネルの送信または受信に用いられるサブキャリア間隔情報
・要素（２）：フラクション物理リソースブロックに設定されたリソースブロックのインデックスを示すインデックス情報
・要素（３）：時間領域における割り当てられたリソースを構成するシンボルの数
・要素（４）：周波数領域における割り当てられたリソースに対応するリソースブロックの数
・要素（５）：物理チャネルのタイプ、および／または、隣接の物理チャネルのタイプ
・要素（６）：物理チャネルの送信または受信に用いられるMCSの情報
・要素（７）：ＲＲＣシグナリング（RRCメッセージ） 
・要素（８）：ＤＣＩフォーマットに含まれる情報
・要素（９）：物理チャネルの送信または受信に用いるベアラ（データ）のタイプ
【００５３】
以下、要素（１）は物理チャネルの送信または受信に用いられるサブキャリア間隔の情報である。ここで、サブキャリア間隔の情報は、端末装置１が送信または受信する物理チャネルのサブキャリア間隔の値であってもよい。また、サブキャリア間隔の情報は、端末装置１が送信または受信する物理チャネルと隣接する物理チャネルのサブキャリア間隔の値であってもよい。また、サブキャリア間隔の情報は、周波数領域において、端末装置１が送信または受信する物理チャネルと隣接するリソースのサブキャリア間隔の値であってもよい。本実施形態において、端末装置１は自分が送信または受信する物理チャネルと隣接する他のリソースを他のチャネル（他の物理チャネル）としてみなしてもよい。
【００５４】
周波数領域において、物理チャネルに割り当てられたリソースに用いられるサブキャリア間隔の値が隣接の物理チャネルに用いられるサブキャリア間隔の値と異なった場合、端末装置１は、隣接の物理チャネルと近接するリソースが対応するリソースブロックをフラクション物理リソースブロックと決定してもよい。一例として、図１１において、端末装置１が物理チャネルの送信または受信をするために割り当てられたリソースが１１０１である。ここで、隣接の物理チャネルは周波数領域において、割り当てられたリソース１１０１以外のリソースである。隣接の物理チャネルと近接するリソースが対応するリソースブロックはインデックスｊ＋５のリソースブロックとインデックスｊ＋２のリソースブロ
ックである。つまり、リソース１１０１に用いられるサブキャリア間隔の値が隣接の物理チャネルに用いられるサブキャリア間隔の値と異なった場合、端末装置１は、インデックスｊ＋５のリソースブロックとインデックスｊ＋２のリソースブロックをフラクション物理リソースブロックと決定してもよい。また、周波数領域において、端末装置１に割り当てられたリソースに用いられるサブキャリア間隔の値が隣接の物理チャネルに用いられるサブキャリア間隔の値と同一であった場合、端末装置１は、当該割り当てられたリソースに対応するリソースブロックにフラクション物理リソースブロックが含まれないことを決定してもよい。
【００５５】
本実施形態において、１つのオペレーティングバンドに対して、１つ、または、１つよりも多いサブキャリア間隔が規定、または、利用されてもよい。例えば、オペレーティングバンドインデックス１のオペレーティングバンドにおいて、物理チャネル、および／または、物理信号の受信または送信に用いられる可能なサブキャリア間隔の値は１５ｋＨｚ、３０ｋＨｚ、６０ｋＨｚであってもよい。また、オペレーティングバンドインデックス２のオペレーティングバンドに対して、物理チャネル、および／または、物理信号の受信または送信に用いられる可能なサブキャリア間隔の値は１５ｋＨｚである。また、１つのオペレーティングバンドは、１つ、または、１つより多いコンポーネントキャリアを含んでもよい。本実施形態において、１つのコンポーネントキャリアに対して、１つ、または、１つよりも多いサブキャリア間隔が規定、または、利用されてもよい。異なるコンポーネントキャリアに対して、利用されるサブキャリア間隔、または、利用されるサブキャリア間隔のセットは異なって規定されてもよい。即ち、サポートされるサブキャリア間隔の値は、オペレーティングバンド、および／または、コンポーネントキャリアと関連つけられて規定されてもよい。
【００５６】
以下、物理チャネルに割り当てられたリソースが対応するリソースブロックにフラクション物理リソースブロックが含まれるかどうかを、物理チャネルの送信または受信に用いられるサブキャリア間隔情報に基づいて決定する例を示す。
【００５７】
なお、例えば、あるコンポーネントキャリアまたはオペレーティングバンドに対して、１つのサブキャリア間隔が規定されてもよい。即ち、端末装置１の各々は、当該コンポーネントキャリアにおいて、同じサブキャリア間隔を用いて、物理チャネルの送信または受信をしてもよい。その場合、端末装置１は、割り当てられたリソースに対応するリソースブロックにフラクション物理リソースブロックが含まれないと判断してもよい。換言すると、端末装置１は、１つのサブキャリア間隔が利用されているコンポーネントキャリア（または、コンポーネントキャリア）において、割り当てられたリソースに対応するリソースブロックにフラクション物理リソースブロックが含まないと決定してもよい。
【００５８】
また、例えば、あるコンポーネントキャリアまたはオペレーティングバンドに対して、物理チャネルの送信または受信に用いられるサブキャリア間隔の値が１つより多く規定されてもよい。即ち、１つのコンポーネントキャリアにおいて、異なるサブキャリア間隔が周波数領域において、混在してもよい。コンポーネントキャリアまたはオペレーティングバンドに利用されるサブキャリア間隔の情報、および／または、サブキャリア間隔のそれぞれに対する時間周波数のリソース情報は、予め仕様書などで規定されてもよいし、基地局装置３からＲＲＣシグナリングによって、通知されてもよい。これによって、端末装置１は、異なるサブキャリア間隔が利用される周波数リソース間の境界を知ってもよい。
【００５９】
図１０は、本実施形態における１つのコンポーネントキャリアに対して１つより多いサブキャリア間隔が設定される一例を示す図である。例えば、図１０において、１つのコンポーネントキャリアが３つの周波数帯域に分けられる。それぞれの周波数帯域に対して、それぞれのサブキャリア間隔が異なって規定されてもよい。例えば、第１の周波数帯域に
対して、第１のサブキャリア間隔が利用される。第２の周波数帯域に対して、第２のサブキャリア間隔が利用される。第３の周波数帯域に対して、第３のサブキャリア間隔が利用される。例えば、図１０において、端末装置１に周波数リソース１００１が割り当てられた場合、端末装置１は、予め通知されたサブキャリア間隔の情報に基づいて、周波数領域において、割り当てられた周波数リソース１００１と隣接の周波数リソースに利用されるサブキャリア間隔が同一と判断し、リソース１００１に対応するリソースブロックにフラクション物理リソースブロックが含まれないことを決定してもよい。また、例えば、端末装置１に周波数リソース１００２が割り当てられた場合、端末装置１は、割り当てられたリソース１００２と隣接する周波数リソース（第３の周波数帯域）に第３のサブキャリア間隔が利用されるので、リソース１００２のうち第３の周波数帯域と隣接するリソースに対応するリソースブロックをフラクション物理リソースブロックに決定してもよい。
【００６０】
また、例えば、あるコンポーネントキャリアまたはオペレーティングバンドにおいて、特定のサブキャリア間隔の値に対して、フラクション物理リソースブロックの設定が有効である。または、特定のサブキャリア間隔の値に対して、フラクション物理リソースブロックの設定が無効であってよい。この設定情報は、予め仕様書などで規定されてもよいし、基地局装置３からＲＲＣシグナリングによって、端末装置１へ通知されてもよい。一例として、例えば、図１０において、第２のサブキャリア間隔を用いて物理チャネルを送信または受信する端末装置１にとって、フラクション物理リソースブロックの設定が無効になってもよい。即ち、端末装置１が周波数リソース１００２における物理チャネルを送信または受信する場合、端末装置１は、リソース１００２と隣接する周波数リソース（第３の周波数帯域）に第３のサブキャリア間隔が利用されても、第３の周波数帯域と隣接するリソースに対応するリソースブロックをフラクション物理リソースブロックに決定しなくてもよい。
【００６１】
図７は、本実施形態における端末装置１が周波数リソースに用いられるサブキャリア間隔の情報に基づいてフラクション物理リソースブロックがあるかどうかを決定する他の一例を示す図である。図７の示すように、端末装置１は、割り当てられた周波数リソース７０１において、物理チャネルを送信または受信する。リソース７０２、７０３、７０４はリソース７０１において、リザーブされた（割り当てられた）リソースである。また、例えば、リソース７０２、７０３は、基地局装置３から静的にまたは準静的に（staticにまたはsemi-staticに）設定されてもよい。リソース７０４は基地局装置３から制御データ
によって、動的に（dynamically）通知されてもよい。リザーブされたリソースのそれぞ
れに用いられるサブキャリア間隔の情報も基地局装置３から端末装置１へ通知されてもよい。これによって、端末装置１は、リザーブされたリソースと隣接するリソースに対応するリソースブロックをフラクション物理リソースブロックに設定するかどうかを決定してもよい。
【００６２】
例えば、図７において、リソース７０２および７０３に用いられるサブキャリア間隔はリソース７０１における物理チャネルの送信または受信するために用いられるサブキャリア間隔の値と同一に設定されてもよい。この場合、端末装置１は、リソース７０２および７０３と隣接するリソースに対応するリソースブロックがフラクション物理リソースブロックではないことを決定してもよい。ここで、周波数領域において、リソース７０２と隣接するリソースに対応するリソースブロックは７０５および７０６である。また、例えば、リソース７０４に用いられるサブキャリア間隔の値はリソース７０１における物理チャネルの送信または受信をするために用いられるサブキャリア間隔の値と異なって設定されてもよい。この場合、端末装置１は、周波数領域において、リソース７０４と隣接するリソースに対応するリソースブロックをフラクション物理リソースブロックに決定してもよい。ここで、周波数領域において、リソース７０４と隣接するリソースに対応するリソースブロックは７０７および７０８である。つまり、この場合、端末装置１は周波数領域に
おいて、リソースブロック７０７および７０８をフラクション物理リソースブロックに決定してもよい。図７（ｂ）のように、周波数領域において、端末装置１は、７０４ｂと隣接するリソースブロック７０７ｂおよびリソースブロック７０８bにおいて、７０９bおよび７１０bを設定する。周波数領域において、７０９bおよび７１０bは、７０４bと隣接するリソースブロックにおけるガードバンドのためにリザーブされた複数個のサブキャリアである。即ち、ＰＤＳＣＨ（ユーザデータ）は、７０９bおよび７１０bに示された複数個のサブキャリアにマッピングされない。
【００６３】
上述したように、周波数領域において、端末装置１に割り当てられたリソースに対応するリソースブロックに用いられるサブキャリア間隔の値が隣接する他の物理チャネルに用いられるサブキャリア間隔の値と異なった場合、端末装置１は、他の物理チャネルと隣接するリソースに対応するリソースブロックをフラクション物理リソースブロックに決定してもよい。また、周波数領域において、端末装置１は割り当てられたリソースに用いられるサブキャリア間隔の値と隣接する他の物理チャネルに用いられるサブキャリア間隔の値と比べて、以下の第１の決定方法または第２の決定方法のいずれかに基づいて、フラクション物理リソースブロックを決定してもよい。
【００６４】
第１の決定方法は、お互いに隣接する物理チャネルのサブキャリア間隔の値を比べて、サブキャリア間隔の値が低いほうのリソースブロックをフラクション物理リソースブロックとして設定する方法である。例えば、隣接の他の物理チャネルに用いられるサブキャリア間隔の値が端末装置１に割り当てられたリソースに用いられるサブキャリア間隔の値より高い場合、端末装置１は、他の物理チャネルと隣接するリソースに対応するリソースブロックをフラクション物理リソースブロックに決定してもよい。つまり、隣接の他のチャネルに用いられるサブキャリア間隔の値が端末装置１に割り当てられたリソースに用いられるサブキャリア間隔の値より低い場合、端末装置１は、他の物理チャネルと隣接するリソースに対応するリソースブロックをフラクション物理リソースブロックに決定しなくてもよい。
【００６５】
第２の決定方法は、お互いに隣接する物理チャネルのサブキャリア間隔の値を比べて、サブキャリア間隔の値が高いほうのリソースブロックをフラクション物理リソースブロックとして設定する方法である。例えば、隣接の他のチャネルに用いられるサブキャリア間隔の値が端末装置１に割り当てられたリソースに用いられるサブキャリア間隔の値より低い場合、端末装置１は、他の物理チャネルと隣接するリソースに対応するリソースブロックをフラクション物理リソースブロックに決定してもよい。つまり、隣接する他のチャネルに用いられるサブキャリア間隔の値が端末装置１に割り当てられたリソースに用いられるサブキャリア間隔の値より高い場合、端末装置１は、他の物理チャネルと隣接するリソースに対応するリソースブロックをフラクション物理リソースブロックに決定しなくてもよい。
【００６６】
コンポーネントキャリアまたはオペレーティングバンドにおいて、第１の決定方法や第２の決定方法のいずれかを利用するかは、予め仕様書などで規定されてもよいし、基地局装置３からのＲＲＣシグナリングによって、通知（設定）されてもよい。また、第１の決定方法や第２の決定方法のいずれかを利用するかは、オペレーティングバンドまたはコンポーネントキャリアと関連つけられ規定されてもよい。即ち、端末装置１にとって、第１の決定方法または第２の決定方法のいずれかを利用するかは、コンポーネントキャリアまたはオペレーティングバンドによって、切り替えられてもよい。
【００６７】
上述した要素（２）は、フラクション物理リソースブロックに設定されたリソースブロックのインデックスを示す情報である。基地局装置３は、予めフラクション物理リソースブロックに設定されるリソースブロックのインデックスを示す情報を端末装置１へ通知す
る。端末装置１は通知されたリソースブロックのインデックスを示す情報に基づいて、物理チャネルの送信または受信のために割り当てられたリソースに対応するリソースブロックの中の何れかのリソースブロックがフラクション物理リソースブロックに設定されることを知る。リソースブロックのインデックスは、サブキャリア間隔Δfに基づいて、与え
られる。当該サブキャリア間隔は、送信または受信する物理チャネルに対応するサブキャリア間隔であってもよい。また、該インデックス情報が通知されていなかった場合、端末装置１は、割り当てられたリソースに対応するリソースブロックにフラクション物理リソースブロックが含まれないことを決定してもよい。また、インデックス情報が通知された場合、端末装置１は、該インデックス情報に基づいて、割り当てられたリソースに対応するリソースブロックにフラクション物理リソースブロックが含まれるかどうかを決定してもよい。
【００６８】
図４は、本実施形態における要素（２）に基づくフラクション物理リソースブロックが決定される一例を示す図である。図４において、縦軸は周波数軸であり、横軸は時間軸である。図４において、各々のブロックはリソースブロックである。（４０１）の周波数帯域幅は第２のサブキャリア間隔Δf２に基づく１つのリソースブロックである。（４０２
）の周波数帯域幅は第１のサブキャリア間隔Δf１に基づく１つのリソースブロックであ
る。ここで、一例として、周波数リソース４０３において、物理チャネルは第２のサブキャリア間隔Δf２に基づいて、送信または受信される。周波数リソース４０４、４０５、
４０６、および、４０７において、物理チャネルは第１のサブキャリア間隔Δf１に基づ
いて、送信または受信される。
【００６９】
端末装置１は、物理チャネルの送信または受信に用いられるサブキャリア間隔に基づくリソースブロックインデックスを利用する。例えば、端末装置１が第１のサブキャリア間隔Δf１を用いて、物理チャネルを送信または受信する場合、端末装置１は第１のインデ
ックスに基づいて、リソースブロックインデックスを利用する。また、例えば、端末装置１が第２のサブキャリア間隔Δf２を用いて、物理チャネルを送信または受信する場合、
端末装置１は第２のインデックスに基づいて、リソースブロックインデックスを利用する。
【００７０】
一例として、例えば、基地局装置３は、第１のサブキャリア間隔を利用する端末装置１Ａへ、予めフラクション物理リソースブロックに設定されるリソースブロックのインデックスｎ＋５をインデックス情報として通知する。基地局装置３は、第２のサブキャリア間隔を利用する端末装置１Ｂへ、予めフラクション物理リソースブロックに設定されるリソースブロックのインデックスｍ＋３およびｍ＋５をインデックス情報通知する。端末装置１が物理チャネルの送信または受信に用いられるリソースに対応するリソースブロックにおける両端の物理リソースブロックのインデックスがインデックス情報から示されたインデックスであった場合、該リソースブロックがフラクション物理リソースブロックに設定されてもよい。例えば、端末装置１Ａがリソース４０５において物理チャネルの送信または受信する。周波数領域において、リソースブロック４０５は連続する３つのリソースブロックから構成される。該３つのリソースブロックのインデックスはｎ＋２、ｎ＋３、および、ｎ＋４である。端末装置１Ａがリソース４０５において物理チャネルの送信または受信する場合、端末装置１Ａは、リソース４０５における両端のリソースブロックのインデックスをインデックス情報から示されるインデックスと参照することによって、割り当てられたリソース４０５においてフラクション物理リソースブロックを設定しなくてもよい。即ち、割り当てられたリソース４０５における両端のリソースブロックのインデックスｎ＋２、および、ｎ＋４がインデックス情報から示されたインデックスｎ＋５ではなかった場合、端末装置１Ａは、割り当てられたリソース４０５においてフラクション物理リソースブロックを設定しなくてもよい。同様に、端末装置１Ｂがリソース４０３において物理チャネルの送信または受信する。周波数領域において、リソース４０３は１つのリソ
ースブロックから構成される。該リソースブロックのインデックスはｍ＋４である。端末装置１Ｂは、リソース４０３における両端のリソースブロックのインデックスをインデックス情報から示されるインデックスと参照することによって、割り当てられたリソース４０３においてフラクション物理リソースブロックを設定しなくてもよい。即ち、割り当てられたリソース４０３におけるリソースブロックのインデックスｍ＋４がインデックス情報から示されたインデックスｍ＋３およびｍ＋５ではなかった場合、端末装置１Ｂは、割り当てられたリソース４０３においてフラクション物理リソースブロックを設定しなくてもよい。
【００７１】
また、例えば、端末装置１Ａがリソース４０６において物理チャネルの送信または受信する。周波数領域において、リソースブロック４０６は連続する４つのリソースブロックから構成される。該４つのリソースブロックのインデックスはｎ＋２、ｎ＋３、ｎ＋４、および、ｎ＋５である。端末装置１Ａがリソース４０６において物理チャネルの送信または受信する場合、端末装置１Ａは、リソース４０６における両端のリソースブロックのインデックスをインデックス情報から示されるインデックスと参照することによって、割り当てられたリソース４０６においてフラクション物理リソースブロックを設定するかどうかを決定してもよい。この場合、割り当てられたリソース４０６におけるリソースブロックのインデックスｎ＋５がインデックス情報から示されたインデックスｎ＋５と同じので、端末装置１Ａは、割り当てられたリソース４０６におけるインデックスｎ＋５のリソースブロックをフラクション物理リソースブロックに設定してもよい。
【００７２】
また、例えば、基地局装置３は、第１のサブキャリア間隔を利用する端末装置１Ａへ、予めフラクション物理リソースブロックに設定されるリソースブロックのインデックス範囲を示す情報を通知してもよい。図４において、通知されたインデックス範囲情報から示されるインデックス範囲はインデックスｎ＋５からｎ＋１２までである。つまり、ラクション物理リソースブロックに設定可能なリソースブロックのインデックスはｎ＋５からｎ＋１２までである。つまり、端末装置１Aが物理チャネルの送信または受信に用いられる
リソースに対応するリソースブロックにおける両端の物理リソースブロックのインデックスがインデックス範囲内であった場合、該リソースブロックがフラクション物理リソースブロックに設定されてもよい。例えば、端末装置１Ａがリソース４０４において物理チャネルの送信または受信する。周波数領域において、リソースブロック４０４は連続する４つのリソースブロックから構成される。該４つのリソースブロックのインデックスはｎ＋４、ｎ＋５、ｎ＋６、および、ｎ＋７である。端末装置１Aは、リソース４０4における両端のリソースブロックのインデックスをインデックス範囲情報から示されるインデックスと参照してもよい。リソース４０４における両端のリソースブロックのインデックスはｎ＋４、および、ｎ＋７である。リインデックスｎ＋４が、インデックス範囲情報から示されたインデックス範囲内ではなかった場合、端末装置１Aはインデックスｎ＋４をフラク
ション物理リソースブロックに設定しなくてもよい。また、インデックスｎ＋７が、インデックス範囲情報から示されたインデックス範囲内であった場合、端末装置１Aは、イン
デックスｎ＋７をフラクション物理リソースブロックに設定してもよい。
【００７３】
また、例えば、端末装置１Ａがリソース４０７において物理チャネルの送信または受信する。周波数領域において、リソースブロック４０７は連続する７つのリソースブロックから構成される。該７つのリソースブロックのインデックスはｎ＋６、ｎ＋７、ｎ＋８、ｎ＋９、ｎ＋１０、ｎ＋１１、および、ｎ＋１２である。リソースブロック４０７における両端のリソースブロックのインデックスはｎ＋６、および、ｎ＋１２である。インデックスｎ＋６が、インデックス範囲情報から示されたインデックス範囲内であり、且つ、インデックスｎ＋６のリソースブロックと隣接する他のリソースに対応するリソースブロックｎ＋５がインデックス範囲情報から示されたインデックス範囲の境界であった場合、該インデックスｎ＋６のリソースブロックはフラクション物理リソースブロックに設定され
なくてもよい。また、インデックスｎ＋１２が、インデックス範囲情報から示されたインデックス範囲内であり、且つ、インデックスｎ＋１２のリソースブロックと隣接する他のリソースに対応するリソースブロックｎ＋１３がインデックス範囲情報から示されたインデックス範囲内ではなかった場合、該インデックスｎ＋１３のリソースブロックはフラクション物理リソースブロックに設定されなくてもよい。ここで、周波数領域において、他のリソースは割り当てられたリソース４０７以外のリソースであってもよい。
【００７４】
上述した要素（３）は、時間領域において、端末装置１に割り当てられたリソースを構成するシンボルの数である。基地局装置３は、物理チャネルの送信または受信に割り当てられる（用いられる）リソースを、端末装置１へ通知（送信）する。時間領域における割り当てられたリソースのシンボルの数が所定の値を超えていなかった場合、端末装置１は、他の要素に基づかず、割り当てられたリソースブロックがフラクション物理リソースブロックを含まないことを決定してもよい。また、割り当てられたリソースのシンボルの数が所定の値を超えた場合、端末装置１は、他の要素に基づいて、割り当てられたリソースブロックがフラクション物理リソースブロックを含むかどうかを決定してもよい。ここで、所定の値は１シンボルであってもよい。また、所定の値は２シンボルであってもよい。また、所定のシンボルの値は、ＲＲＣシグナリングによって、基地局装置３から端末装置１へ送信（通知）されてもよい。また、所定の値は、仕様書などによって予め規定されてもよい。
【００７５】
上述した要素（４）は、周波数領域における割り当てられたリソースに対応するリソースブロックの数である。周波数領域において割り当てられたリソースに対応するリソースブロックの数が所定の値を超えていなかった場合、端末装置１は、他の要素に基づかず、割り当てられたリソースに対応するリソースブロックがフラクション物理リソースブロックを含まないことを決定してもよい。また、割り当てられたリソースに対応するリソースブロックの数が所定の値を超えた場合、端末装置１は、他の要素に基づいて、割り当てられたリソースに対応するリソースブロックがフラクション物理リソースブロックを含むかどうかを決定してもよい。ここで、所定の値は１であってもよい。また、所定の値は２であってもよい。所定のリソースブロックの値は、ＲＲＣシグナリングによって、基地局装置３から端末装置１へ送信（通知）されてもよい。また、所定の値は、仕様書などによって予め規定されてもよい。例えば、割り当てられたリソースに対応するリソースブロックの数が所定の値を超え、且つ、割り当てられたリソースと隣接の他の物理チャネルが異なるサブキャリア間隔の値を利用している場合、端末装置１は、他の物理チャネルと隣接する割り当てられたリソースに対応するリソースブロックをフラクション物理リソースブロックに決定してもよい。また、割り当てられたリソースに対応するリソースブロックの数が所定の値を超え、且つ、時間領域における割り当てられたリソースのシンボルの数が要素（３）における所定の値（所定のシンボルの数）を超えていなかった場合、端末装置１は、他の要素に基づかず、他の物理チャネルと隣接する割り当てられたリソースに対応するリソースブロックをフラクション物理リソースブロックに決定しなくてもよい。
【００７６】
上述した要素（５）は端末装置１が受信または送信する物理チャネルのタイプ、および／または、隣接の物理チャネルのタイプである。要素（５）において、端末装置１は受信または送信する物理チャネルのタイプに基づいて、割り当てられたリソースに対応するリソースブロックにフラクション物理リソースブロックが含まれるかどうかを決定してもよい。例えば、物理チャネルが制御データ（制御情報）の送信または受信に用いられる場合、端末装置１は、他の要素に基づかず、割り当てられたリソースに対応するリソースブロックにフラクション物理リソースブロックが含まれないことを判断してもよい。また、例えば、物理チャネルが報知情報、システム情報、ページング情報、各種設定情報、ＡＣＫ／ＮＡＣＫ、を送信または受信するために用いられた場合、端末装置１は、他の要素に基づかず、割り当てられたリソースに対応するリソースブロックにフラクション物理リソー
スブロックが含まれないことを判断してもよい。また、例えば、物理チャネルがユーザデータの送信または受信のために用いられた場合、端末装置１は、他の要素に基づいて、割り当てられたリソースに対応するリソースブロックにフラクション物理リソースブロックが含まれるかどうかを決定してもよい。
【００７７】
また、要素（５）において、端末装置１は送信または受信する物理チャネルと隣接する物理チャネルのタイプを比べて、割り当てられたリソースに対応するリソースブロックにフラクション物理リソースブロックが含まれるかどうかを決定してもよい。例えば、端末装置１は、割り当てられたリソースにおいて、ユーザデータを送信または受信する。割り当てられた物理チャネルと隣接する他の物理チャネルが報知情報、システム情報、ページング情報、各種設定情報、ＡＣＫ／ＮＡＣＫ、制御データを送信するために用いられ、且つ、それぞれのサブキャリア間隔が異なった場合、端末装置１は、隣接する物理チャネルと近接するリソースに対応するリソースブロックをフラクション物理リソースブロックに決定してもよい。
【００７８】
また、要素（５）において、上りリンク同期を取っていない端末装置１がある割り当てられたリソースにおいて、物理チャネルを送信する場合、端末装置１は、送信されたリソースにおいて、他の物理チャネルと隣接するリソースに対応するリソースブロックをフラクション物理リソースブロックとして設定してもよい。また、要素（５）において、上りリンク同期を取っていない端末装置１がある割り当てられたリソースにおいて、物理チャネルを送信する場合、端末装置１は、送信されたリソースに対応するリソースブロックをフラクション物理リソースブロックとして設定してもよい。ここで、フラクション物理リソースブロックに設定されたリソースブロックは、送信されたリソースにおける両端の物理リソースブロックであってもよい。
【００７９】
図９はＰＤＳＣＨとＰＢＣＨの周波数リソースが重複する場合に、フラクション物理リソースブロックを決定する一例を示す図である。図９において、（９０１）および（９０３）はＰＤＳＣＨ（ユーザデータ）の送信または受信をするために端末装置１に割り当てられたリソースである。（９０２）および（９０４）は報知情報の送信のために割り当てられたリソースである。さらに、（９０１）および（９０３）に用いられるサブキャリア間隔の値は、（９０２）および（９０４）に用いられるサブキャリア間隔の値と異なっている。この場合、端末装置１は、周波数領域において、（９０２）と近接するリソースブロックをフラクション物理リソースブロックに決定してもよい。図９（ｂ）のように、端末装置１は、（９０４）と隣接する１つのリソースブロックにおいて、（９０５）を設定する。周波数領域において、（９０５）は、（９０４）と隣接するリソースブロックにおけるガードバンドのためにリザーブされたX個のサブキャリアである。即ち、ＰＤＳＣＨ
（ユーザデータ）は、（９０５）に示されたX個のサブキャリアにマッピングされない。
【００８０】
要素（６）は物理チャネルの送信または受信に用いられるＭＣＳ情報。物理チャネルの送信または受信に用いられるリソースは、PDCCHに含まれる情報によって割り当てられる
。ＭＣＳ（Ｍｏｄｕｌａｔｉｏｎ  ａｎｄ  Ｃｏｄｉｎｇ  Ｓｃｈｅｍｅ）情報は下りリンクまたは上りリンクにおける変調方式および符号化率などを示す。端末装置１は、ＰＤＣＣＨに含まれるフィールドによって、物理チャネルの送信または受信に用いられるＭＣＳ情報を知る。例えば、端末装置１は、PDCCHに含まれるフィールドに基づいて、ＭＣＳ
インデックスを決定する。次いて、端末装置１は、決定されたＭＣＳインデックスを参照することによって、データの変調次数、トランスポートブロックサイズインデックス、および、冗長バージョン（ｒｖｉｄｘ）を決定してもよい。ここで、トランスポートブロックサイズインデックスは、トランスポートブロックサイズの算出に用いられるパラメータであってもよい。ここで、冗長バージョンは、トランスポートブロックの復号に用いられるパラメータであってもよい。
【００８１】
次に、ＭＣＳ情報に基づく割り当てられたリソースに対応するリソースブロックがフラクション物理リソースブロックを含むかどうかを決定する一例を示す。例えば、ＰＤＣＣＨによって示されたＭＣＳインデックスの値が所定の値（所定のＭＣＳインデックスの値）より以下になった場合、端末装置１は割り当てられたリソースに対応するリソースブロックにフラクション物理リソースブロックが含まれないことと判断してもよい。また、物理チャネルの送信または受信に用いられる変調次数が所定の値（所定の変調次数の値）より以下になった場合、端末装置１は割り当てられたリソースに対応するリソースブロックにフラクション物理リソースブロックが含まれないことと判断してもよい。基地局装置３は、所定の値（所定のＭＣＳインデックスの値、および／または、所定の変調次数の値）をＲＲＣシグナリングによって、端末装置１に送信（通知）してもよい。また、所定の値は、仕様書などによって予め規定されてもよい。
【００８２】
また、ＰＤＣＣＨによって示されたＭＣＳインデックスの値が所定の値（所定のＭＣＳインデックスの値）を超えた場合、端末装置１は、他の要素に基づいて、割り当てられたリソースに対応するリソースブロックにフラクション物理リソースブロックが含まれるかどうかを決定してもよい。また、例えば、ＰＤＣＣＨによって示されたＭＣＳインデックスの値が所定の値を超え、且つ、割り当てられたリソースと隣接する物理チャネルが異なるサブキャリア間隔の値を利用する場合、端末装置１は、割り当てられたリソースに対応するリソースブロックにフラクション物理リソースブロックが含まれることを決定してもよい。また、例えば、ＰＤＣＣＨによって示されたＭＣＳインデックスの値が所定の値を超え、且つ、割り当てられたリソースのシンボルの数が所定のシンボルの値を超えていなかった場合、端末装置１、割り当てられたリソースに対応するリソースブロックにフラクション物理リソースブロックが含まれないことを決定してもよい。
【００８３】
また、ＭＣＳインデックスを参照することによって与えられる変調次数の値が所定の値（所定の変調次数の値）を超えた場合、端末装置１は、他の要素に基づいて、割り当てられたリソースに対応するリソースブロックにフラクション物理リソースブロックが含まれるかどうかを決定してもよい。また、例えば、ＭＣＳインデックスを参照することによって与えられる変調次数の値が所定の値を超え、且つ、割り当てられたリソースと隣接する物理チャネルが異なるサブキャリア間隔の値を利用する場合、端末装置１は、割り当てられたリソースに対応するリソースブロックにフラクション物理リソースブロックが含まれることを決定してもよい。また、例えば、ＭＣＳインデックスを参照することによって与えられる変調次数の値が所定の値を超え、且つ、割り当てられたリソースのシンボルの数が所定のシンボルの値を超えていなかった場合、端末装置１、割り当てられたリソースに対応するリソースブロックにフラクション物理リソースブロックが含まれないことを決定してもよい。
【００８４】
また、要素（６）において、物理チャネルが制御チャネルであった場合、端末装置１はＰＤＣＣＨによって示されたＭＣＳ情報に基づかず、割り当てられたリソースに対応するリソースブロックにフラクション物理リソースブロックが含まれないことと判断してもよい。
【００８５】
要素（７）はＲＲＣシグナリング（RRCメッセージ）である。基地局装置３は、端末装
置１に割り当てられたリソースに対応するリソースブロックにフラクション物理リソースブロックが含まれるかどうかをＲＲＣシグナリングによって、通知してもよい。また、基地局装置３は、端末装置１に割り当てられたリソースに対応するリソースブロックに設定されたフラクション物理リソースブロックの位置をＲＲＣシグナリングによって、通知してもよい。また、基地局装置３は、端末装置１に割り当てられたリソースでフラクション物理リソースブロックを設定するかどうか（利用するかどうか）をＲＲＣシグナリングに
介して該端末装置１へ通知してもよい。
【００８６】
要素（８）において、ＰＤＣＣＨで送信されるＤＣＩフォーマットに含まれる情報は、割り当てられたリソースに対応するリソースブロックがフラクション物理リソースブロックを含むかどうかを通知する。例えば、ＤＣＩフォーマットに含まれる情報は、（ｉ）割り当てられたリソースに対応するリソースブロックがフラクション物理リソースブロックを含まないこと、（ｉｉ）割り当てられたリソースに対応するリソースブロックにおいて、周波数が一番高いリソースブロックがフラクション物理リソースブロックであること、（ｉｉｉ）割り当てられたリソースに対応するリソースブロックにおいて、周波数が一番低いリソースブロックがフラクション物理リソースブロックであること、（ｉｖ）割り当てられたリソースに対応するリソースブロックにおいて、周波数が一番高いリソースブロックおよび周波数が一番低いリソースブロックがフラクション物理リソースブロックであること、４つのパターンの何れかを通知してもよい。
【００８７】
また、周波数領域において、端末装置１に割り当てられたリソースに対応するリソースブロックが非連続であってもよい。前述したように、周波数領域において、端末装置１に割り当てられたリソースに対応するリソースブロックは１つより多いリソースブロックセット（インターレース、interlace）から構成されてもよい。１つのリソースブロックセ
ットは、１つまたは１つより多い連続的なリソースブロックから構成されてもよい。リソースブロックセットの間は周波数領域において、非連続になっている。この場合、前述したＤＣＩフォーマットに含まれる情報は、リソースブロックセットの各々に対して共通の設定情報として利用されてもよい。また、この場合、前述したＤＣＩフォーマットに含まれる情報は、周波数が一番高いリソースブロックセット、および／または、周波数が一番低いリソースブロックセットに対して適用されてもよい。また、この場合、前述したＤＣＩフォーマットに含まれる情報は、周波数が一番高いリソースブロック、および／または、周波数が一番低いリソースブロックに対して適用されてもよい。
【００８８】
また、ＤＣＩフォーマットに含まれる情報が、割り当てられたリソースブロックセットの何れに対して適用されるかどうかは、ＤＣＩフォーマットに含まれる他の情報によって明示的に通知してもよい。
【００８９】
また、ＤＣＩフォーマットに含まれる情報が、割り当てられたリソースブロックセットの何れに対して適用されるかどうかは、要素（４）における所定の値（所定のリソースブロックの値）に基づいて、暗示的に決定されてもよい。例えば、リソースブロックセットに構成されるリソースブロックの数が所定の値を超えた場合、ＤＣＩフォーマットに含まれる情報は該リソースブロックに適用されてもよい。また、例えば、リソースブロックセットに構成されるリソースブロックの数が所定の値を超えていなかった場合、ＤＣＩフォーマットに含まれる情報は該リソースブロックに適用されなくてもよい。
【００９０】
また、要素（８）において、ＰＤＣＣＨで送信されるＤＣＩフォーマットに含まれる他の情報は、端末装置１に割り当てられたリソースでフラクション物理リソースブロックに設定されるリソースブロックのインデックスを明示的に通知してもよい。
【００９１】
また、要素（８）において、ＰＤＣＣＨで送信されるＤＣＩフォーマットに含まれる情報は、要素（７）のＲＲＣシグナリングによって通知されたフラクション物理リソースブロックの設定情報が有効か無効化かを示してもよい。例えば、ＤＣＩフォーマットに１ビットのフィールドが設定されてもよい。該ＤＣＩフォーマットに含まれるフィールドが１を示す場合、端末装置１は、要素（７）のＲＲＣシグナリングによって通知されたフラクション物理リソースブロックの設定情報を利用してもよい。また、該ＤＣＩフォーマットに含まれるフィールドが０を示す場合、端末装置１は、要素（７）のＲＲＣシグナリング
によって通知されたフラクション物理リソースブロックの設定情報を利用しなくてもよい。
【００９２】
要素（９）は物理チャネルの送信または受信に用いるベアラ（データ）のタイプである。要素（９）において、下りリンクデータ、および、上りリンクデータは、ＳＲＢ（Signalling Radio Bearer）のデータ、および、ＤＲＢ（Data Radio Bearer）のデータを含んでもよい。ＳＲＢは、ＲＲＣ（Radio Resource Control）メッセージ、および、ＮＡＳ（Non Access Stratum）メッセージの送信のためのみに用いられる無線ベアラとして定義される。ＤＲＢは、ユーザデータを伝送する無線ベアラとして定義される。
【００９３】
ここで、端末装置１は、物理チャネルにおける送信または受信するデータが何れのベアラのタイプを含むことに基づいて、割り当てられたリソースブロックにフラクション物理リソースブロックが含まれるかどうかを決定してもよい。例えば、物理チャネルにおける送信または受信するデータがＳＲＢを含む場合、端末装置１は、他の要素に基づかず、割り当てられたリソースブロックにフラクション物理リソースブロックが含まれないことと決定してもよい。また、例えば、物理チャネルにおける送信または受信するデータがＳＲＢを含まない場合、端末装置１は、他の要素に基づいて、割り当てられたリソースブロックにフラクション物理リソースブロックが含まれるかどうかを決定してもよい。
【００９４】
以下、本実施形態におけるフラクション物理リソースブロックに設定されたリソースブロックにおいて、物理チャネルがマップされないサブキャリアの数Ｘを示す方法について、説明する。１つの物理リソースブロックが１２サブキャリアであるとすれば、物理チャネルがマップされないサブキャリアの数Ｘの決定は、マップされるサブキャリアの数Ｙ（Ｙ＝１２−Ｘ）の決定と同じ意味を示してもよい。
【００９５】
フラクション物理リソースブロックに決定されたリソースブロックにおいて、物理チャネルがマップされないサブキャリアの数Xは、少なくとも以下の要素の一部、および／ま
たは、全部に基づいて、決定されてもよい。
・要素（i）：物理チャネルの送信または受信に用いられるサブキャリア間隔情報
・要素（ii）：要素（２）におけるインデックス情報によって示されたインデックスのリソースブロックのそれぞれに対して個別に設定される情報であって、Ｘを示す情報
・要素（iii）：物理チャネルの送信または受信に用いられるMCSの情報
・要素（iｖ）：ＤＣＩフォーマットに含まれる情報
・要素（ｖ）：ＲＲＣシグナリング（RRCメッセージ）
・要素（ｖi）：物理チャネルの送信または受信に用いられるトランスミッションスキー
ム
・要素（ｖii）：物理チャネルのベースバンド信号生成方法
【００９６】
要素（i）は物理チャネルの送信または受信に用いられるサブキャリア間隔情報である
。端末装置１は、物理チャネルの送信または受信に用いられるサブキャリア間隔情報に基づき、フラクション物理リソースブロックに設定されたリソースブロックにおいて、物理チャネルがマップされないサブキャリアの数Ｘを暗示的に決定してもよい。例えば、第１のサブキャリア間隔の値を利用する端末装置１には、フラクション物理リソースブロックに設定されたリソースブロックにおいて、物理チャネルがマップされないサブキャリアの数ＸがＫ１に設定されてもよい。また、例えば、第２のサブキャリア間隔の値を利用する端末装置１には、フラクション物理リソースブロックに設定されたリソースブロックにおいて、物理チャネルがマップされないサブキャリアの数ＸがＫ２に設定されてもよい。ここで、Ｋ１とＫ２の値は異なってもよい。サブキャリア間隔の値およびそれぞれに対応するサブキャリアの数Ｘの値は、仕様書などによって予め規定されてもよいし、ＲＲＣシグナリングによって通知されてもよい。
【００９７】
また、要素（i）において、端末装置１は、利用するサブキャリア間隔の値と隣接する
物理チャネルのサブキャリア間隔の値の組み合わせに基づき、フラクション物理リソースブロックに設定されたリソースブロックにおいて、物理チャネルがマップされないサブキャリアの数Ｘの値を決定してもよい。サブキャリア間隔の値の組み合わせに応じて、Ｘの値は異なって設定されてもよい。例えば、第１のサブキャリア間隔の値を利用する端末装置１には、隣接する物理チャネルに用いられるサブキャリア間隔の値が第２のサブキャリア間隔の値であった場合、サブキャリアの数Ｘの値は、Ｍ１に設定されてもよい。また、第１のサブキャリア間隔の値を利用する端末装置１には、隣接するチャネルに用いられるサブキャリア間隔の値が第３のサブキャリア間隔の値であった場合、サブキャリアの数Ｘの値は、Ｍ２に設定されてもよい。ここで、Ｍ１とＭ２の値は異なってもよい。サブキャリア間隔の組み合わせに対応するサブキャリアの数Ｘの値は、仕様書などによって予め規定されてもよいし、ＲＲＣシグナリングによって通知されてもよい。
【００９８】
要素（ii）は、要素（２）におけるインデックス情報によって示されたインデックスのリソースブロックのそれぞれに対して個別に設定される情報であって、Ｘを示す情報である。前述したように、基地局装置３は、予めフラクション物理リソースブロックに設定されるリソースブロックのインデックスを示すインデックス情報を端末装置１へ通知する。さらに、基地局装置３は、フラクション物理リソースブロックに設定されるインデックスのリソースブロックのそれぞれに対して、個別に設定されるサブキャリアの数Ｘの値を端末装置１へ通知してもよい。つまり、リソースブロックのインデックスに応じて、設定されるサブキャリアの数Ｘの値は異なってもよい。これによって、端末装置１が割り当てられたリソースにフラクション物理リソースブロックが設定された場合、端末装置１は、当該フラクション物理リソースブロックにおいて、物理チャネルにマップされないサブキャリアの数Ｘの値を知っている。
【００９９】
要素（iii）は物理チャネルの送信または受信に用いられるMCSの情報である。端末装置１は、PDCCHに含まれるフィールドに基づいて、ＭＣＳインデックスを決定する。フラク
ション物理リソースブロックに決定されたリソースブロックにおいて、端末装置１は、決定されたＭＣＳインデックスの値に基づいて、物理チャネルがマップされないサブキャリアの数Ｘを決定してもよい。例えば、決定されたＭＣＳインデックスの値が所定の第１の値を超えていない場合、物理チャネルがマップされないサブキャリアの数がＸ１に設定されてもよい。また、決定されたＭＣＳインデックスの値が所定の第２の値より多い場合、物理チャネルがマップされないサブキャリアの数がＸ３に設定されてもよい。また、決定されたＭＣＳインデックスの値が所定の第１の値から第２の値の範囲内であった場合、物理チャネルがマップされないサブキャリアの数がＸ２に設定されてもよい。
【０１００】
また、前述したように、端末装置１は、決定されたＭＣＳインデックスを参照することによって、物理チャネルデータの変調次数を決定する。端末装置１は、物理チャネルの送信または受信に用いられる変調次数の値に基づいて、フラクション物理リソースブロックに決定されたリソースブロックにおいて、物理チャネルがマップされないサブキャリアの数Ｘを決定してもよい。例えば、決定された変調次数の値が所定の第１の値を超えていない場合、物理チャネルがマップされないサブキャリアの数がＹ１に設定されてもよい。また、決定された変調次数の値が所定の第２の値より多い場合、物理チャネルがマップされないサブキャリアの数がＹ３に設定されてもよい。また、決定された変調次数の値が所定の第１の値から第２の値の範囲内であった場合、物理チャネルがマップされないサブキャリアの数がＹ２に設定されてもよい。
【０１０１】
ここで、基地局装置３は、所定の値をＲＲＣシグナリングによって、端末装置１に送信（通知）してもよい。また、所定の値は、仕様書などによって予め規定されてもよい。
【０１０２】
要素（iｖ）はＰＤＣＣＨで送信されるＤＣＩフォーマットに含まれる情報である。当
該情報は、フラクション物理リソースブロックに設定されたリソースブロックにおいて、物理チャネルがマップされないサブキャリアの数Ｘを示してもよい。また、当該情報は、フラクション物理リソースブロックに設定されたリソースブロックにおいて、物理チャネルがマップされるサブキャリアの数Ｙを示してもよい。
【０１０３】
要素（ｖ）において、基地局装置３は、フラクション物理リソースブロックにおいて、物理チャネルがマップされないサブキャリアの数ＸをＲＲＣシグナリングによって、端末装置１へ通知してもよい。また、あるオペレーティングバンドまたはコンポーネントキャリアにおいて、基地局装置３は、それぞれのサブキャリア間隔の値に対して、サブキャリアの数Ｘを通知（設定）してもよい。例えば、第１のサブキャリア間隔の値に基づき物理チャネルを送信または受信する端末装置１には、フラクション物理リソースブロックにおいて、物理チャネルがマップされないサブキャリアの数Ｘが第１の値に設定されてもよい。また、第２のサブキャリア間隔の値に基づき物理チャネルを送信または受信する端末装置１には、フラクション物理リソースブロックにおいて、物理チャネルがマップされないサブキャリアの数Ｘが第２の値に設定されてもよい。
【０１０４】
また、基地局装置３は、端末装置１へ物理チャネルがマップされないサブキャリアの数Ｘの複数の候補をＲＲＣシグナリングによって通知してもよい。続いて、端末装置１は、ＤＣＩフォーマットに含まれる情報に基づいて、ＲＲＣシグナリングによって通知されたサブキャリアの数Ｘの複数の候補の内、何れかを利用するかを示してもよい。
【０１０５】
要素（ｖi）は物理チャネルの送信または受信に用いられるトランスミッションスキー
ムである。物理チャネルの送信または受信に用いるトランスミッションスキーム（Transmission Scheme）は、ＭＩＭＯ空間多重（Spatial Multiplexing）、および、トランスミ
ッションダイバーシティ（Transmit Diversity）を含んでもよい。端末装置１は、トランスミッションスキームに応じて、物理チャネルがマップされないサブキャリアの数を決定してもよい。例えば、物理チャネルの送信または受信に用いられるトランスミッションスキームがＭＩＭＯ空間多重である場合、端末装置１は、サブキャリアの数Xを利用しても
よい。ここで、Ｘは、要素（i）から要素（vi）の一部、または、全部によって与えられ
、フラクション物理リソースブロックに決定されたリソースブロックにおいて物理チャネルがマップされないサブキャリアの数である。また、Xの値は、２の倍数である複数の値
の中から１つを選んでもよい。
【０１０６】
また、例えば、物理チャネルの送信または受信に用いられるトランスミッションスキームがトランスミッションダイバーシティであった場合、フラクション物理リソースブロックに決定されたリソースブロックにおいて、物理チャネルがマップされないサブキャリアの数Ｊの値は偶数に設定されてもよい。つまり、フラクション物理リソースブロックに決定されたリソースブロックにおいて、物理チャネルがマップされるサブキャリアの数（１２−Ｊ）が偶数になる必要がある。ここで、Ｊは、Ｘと同じ、または、Ｘより少なくとも１つ大きい値である。サブキャリアの数Ｘの値が（１２−Ｘ）が偶数である条件を満たす場合、Ｊの値はＸと同じであってもよい。また、サブキャリアの数Ｘの値が（１２−Ｘ）が偶数である条件を満たさない場合、端末装置１は、（１２−Ｊ）の値が偶数になるような、Ｘの値を１つずつインクリメントしてもよい。言い換えると、サブキャリアの数Ｘの値が（１２−Ｘ）が偶数である条件を満たさない場合、端末装置１は、（１２−Ｊ）の値が偶数になるような、Ｘの値より１つ大きい値をＪとして利用してもよい。例えば、基地局装置３が、フラクション物理リソースブロックにおいて、物理チャネルがマップされないサブキャリアの数ＸをＲＲＣシグナリングによって、端末装置１へ通知する。該通知されたＸの値が偶数であった場合、端末装置１は、フラクション物理リソースブロックにお
ける物理チャネルがマップされないサブキャリアの数Ｊを通知されたＸの値に決定してもよい。また該通知されたＸの値が奇数であった場合、端末装置１は、フラクション物理リソースブロックにおける物理チャネルがマップされないサブキャリアの数ＪをＸ＋１に決定してもよい。また、時間領域のシンボルにおいて、（１２−Ｊ）個のサブキャリア（リソースエレメント）が前述した所定の領域に含まれるリソースエレメントを含んでいる場合、物理チャネルがマップされるサブキャリアの数（１２−Ｊ―Ｚ）が偶数になる必要がある。ここで、Ｚの数は、前述した所定の領域に含まれるリソースエレメントの数である。即ち、物理チャネルがマップされるサブキャリアの数（１２−Ｊ―Ｚ）が偶数でなかった場合、端末装置１は、該シンボルにおいて、Ｊの値を１つインクリメントしてもよい。
【０１０７】
また、図１２は、本実施形態における物理チャネルの送信または受信に割り当てられたリソースに対応するリソースブロックで両端のリソースブロックがフラクション物理リソースブロックに設定された一例を示す図である。図１２において、物理チャネルの送信または受信に割り当てられたリソースに対応するリソースブロックはNRB個のリソースブロ
ックである。例えば、図１２のように、端末装置１に割り当てられたリソースの両端に第１のフラクション物理リソースブロックと第２のフラクション物理リソースブロックが設定されてもよい。第１のフラクション物理リソースブロックに物理チャネルがマップされないサブキャリアの数ＸがＸ１１に与えられる。第２のフラクション物理リソースブロックに物理チャネルがマップされないサブキャリアの数ＸがＸ１２に与えられる。Ｘ１１、および、Ｘ１２は、要素（i）から要素（vi）の一部、または、全部によって与えられる
、フラクション物理リソースブロックに決定されたリソースブロックにおいて物理チャネルがマップされないサブキャリアの数である。Ｘ１１、および、Ｘ１２は非負の整数であってもよい。この場合、物理チャネルがマップされるサブキャリアの数NRB＊NRBSC-Ｘ１
１−Ｘ１２は偶数になった場合、Ｘ１１およびＸ１２の値はそれぞれに対するフラクション物理リソースブロックのＪの値として、利用されてもよい。また、物理チャネルがマップされるサブキャリアの数NRB＊NRBSC-Ｘ１１−Ｘ１２は偶数になっていなかった場合、
Ｘ１１の値またはＸ１２の値を１つインクリメントしてもよい。インクリメントされた値を該フラクション物理リソースブロックのJの値として利用してもよい。また、時間領域
のシンボルにおいて、（NRB＊NRBSC-Ｘ１１−Ｘ１２）個のサブキャリア（リソースエレ
メント）が前述した所定の領域に含まれるリソースエレメントを含んでいる場合、物理チャネルがマップされるサブキャリアの数（NRB＊NRBSC-Ｘ１１−Ｘ１２―Ｚ）が偶数にな
る必要がある。ここで、Ｚの数は、NRB＊NRBSC-Ｘ１１−Ｘ１２において、前述した所定
の領域に含まれるリソースエレメントの数である。即ち、物理チャネルがマップされるサブキャリアの数（NRB＊NRBSC-Ｘ１１−Ｘ１２―Ｚ）が偶数でなかった場合、端末装置１
は、該シンボルにおいて、Ｘ１１の値またはＸ１２の値を１つインクリメントしてもよい。ここで、端末装置１がＸ１１の値をインクリメントするか、Ｘ１２の値をインクリメントするかは、ＤＣＩフォーマットに含まれる情報、および／または、ＲＲＣシグナリングなどによって通知されてもよい。また、例えば、端末装置１は、一番高いサブキャリア間隔の値を用いる他の物理チャネルと隣接するリソースに対応するフラクション物理リソースブロックのサブキャリアの数Ｘを優先してインクリメントしてもよい。また、例えば、端末装置１は、制御チャネルと隣接するリソースに対応するフラクション物理リソースブロックのサブキャリアの数Ｘを優先してインクリメントしてもよい。
【０１０８】
本実施形態において、トランスミッションダイバーシティは空間周波数ブロックコード（SFBC,Space Frequency Block Code）であってもよいし、空間周波数ブロックコードと
周波数交換送信ダイバシティ(FSTD,Frequency Switched Transmit Diversity)の組み合わせであってもよい。
【０１０９】
また、例えば、ＭＩＭＯ空間多重のために設定されるサブキャリアの数Ｘ（または、Ｙの値）を示す第１のパラメータ、および／または、トランスミッションダイバーシティの
ために設定されるサブキャリアの数Ｊ（または、Ｙ＝１２−Ｊの値）を示す第２のパラメータを基地局装置３からＲＲＣシグナリングによって、端末装置１へ通知されてもよい。端末装置１は、物理チャネルの送信または受信に用いられるトランスミッションスキームに基づいて、第１のパラメータまたは第２のパラメータの何れを選択し、サブキャリアの数Ｘの値を決定してもよい。
【０１１０】
要素（ｖii）は物理チャネルのベースバンド信号生成方法である。物理チャネルの送信または受信のベースバンド信号生成方法は、ＤＦＴ−Ｓ−ＯＦＤＭベースバンド信号を生成する方法（DFT-S-OFDM baseband signal generation）、および／または、ＯＦＤＭベ
ースバンド信号を生成する方法（OFDM baseband signal generation）を含んでいる。
【０１１１】
上りリンクデータ送信用のベースバンド信号生成方法がＯＦＤＭベースバンド信号を生成する方法であった場合、端末装置１は、サブキャリアの数Ｘを利用してもよい。ここで、Yは、Xと同じ、または、Xより大きい値である。ここで、Xは、要素（i）から要素（vii）の一部、または、全部によって与えられる、フラクション物理リソースブロックに決定されたリソースブロックにおいて物理チャネルがマップされないサブキャリアの数である。また、上りリンクデータ送信用のベースバンド信号生成方法がＤＦＴ−Ｓ−ＯＦＤＭベースバンド信号を生成する方法であった場合、フラクション物理リソースブロックに決定されたリソースブロックにおいて、物理チャネルがマップされないサブキャリアの数Ｋの値は所定の条件に満たす必要がある。所定の条件には、周波数領域における割り当てられたサブキャリア数から、サブキャリアの数Ｋの値を差し引いた値が２ａ２＊３ａ３＊５ａ５から算出された値と同一である。ここで、周波数領域における割り当てられたサブキャリア数は、ＰＤＣＣＨに含まれる情報によって割り当てられたリソースの帯域幅に対応するリソースブロックの数と一つのリソースブロックに含まれるサブキャリアの数の積より与えられてもよい。ここで、冪数であるａ２，ａ３，ａ５は負ではない整数のセットである。ここで、２ａ２は２のａ２乗を示す。ここで、３ａ３は３のａ３乗を示す。ここで、５ａ５は５のａ５乗を示す。ここで、２ａ２＊３ａ３＊５ａ５は２ａ２と３ａ３と５ａ５の積を示す。
【０１１２】
一例として、例えば、基地局装置３は、上りリンクデータ送信のためＰＤＣＣＨに含まれる情報によって、端末装置１にNRB個のリソースブロックを割り当てられた。即ち、周
波数領域において、割り当てられたリソースに対応するサブキャリア数がNRB＊NRBSCである。端末装置１がＤＦＴ−Ｓ−ＯＦＤＭベースバンド信号生成方法を用いる場合、物理チャネルの送信にマップされるサブキャリアの数はNRB＊NRBSC-Ｋによって与えられてもよ
い。ここで、Ｋは、Xと同じ、または、Xより大きい値である。ここで、Xは、要素（i）から要素（vii）の一部、または、全部によって与えられる、フラクション物理リソースブ
ロックに決定されたリソースブロックにおいて物理チャネルがマップされないサブキャリアの数である。端末装置１がＤＦＴ−Ｓ−ＯＦＤＭベースバンド信号生成方法を用いる場合、物理チャネルの送信にマップされるサブキャリアの数がNRB＊NRBSC-Ｋが２ａ２＊３
ａ３＊５ａ５から算出された値になるような、Ｘと同じまたはそれより大きい、最も小さい値をＹとして利用してもよい。
【０１１３】
一例として、例えば、基地局装置３は、ＰＤＣＣＨによって、端末装置１へ周波数領域における６個のリソースブロックを割り当てる。つまり、割り当てられたリソースに対応するサブキャリアの数は６＊１２であり、７２である。また、サブキャリアの数Xの値は
５である。Xの値は、要素（i）から要素（vii）の一部、または、全部によって与えられ
てもよい。端末装置がＤＦＴ−Ｓ−ＯＦＤＭベースバンド信号生成方法を用いる 場合、
物理チャネルの送信にマップされるサブキャリアの数７２−Kが２ａ２＊３ａ３＊５ａ５
から算出された値になるような、５であるXと同じまたはそれより大きい、最も小さい値
をKとして利用してもよい。この場合、Kの値は８である。つまり、７２−８から得た６４
は、２ａ２＊３ａ３＊５ａ５から算出された値になった。ここで、ａ２は６である。ここで、ａ３は０である。ここで、ａ５は０である。つまり、２ａ２＊３ａ３＊５ａ５から算出された値になるような、５であるXより大きい、最も小さい値８をＫとして利用しても
よい。ここで、物理チャネルの送信にマップされるサブキャリアの数は、７２−Ｘ＝６７ではなく、７２−８＝６４である。
【０１１４】
また、端末装置１に割り当てられたリソースに対応するリソースブロックが１つより多くフラクション物理リソースブロックに設定されてもよい。例えば、端末装置１に割り当てられたリソースの両端に第１のフラクション物理リソースブロックと第２のフラクション物理リソースブロックが設定されてもよい。第１のフラクション物理リソースブロックに物理チャネルがマップされないサブキャリアの数ＸがＸ１に与えられる。第２のフラクション物理リソースブロックに物理チャネルがマップされないサブキャリアの数ＸがＸ２に与えられる。Ｘ１、および、Ｘ２は、要素（i）から要素（vii）の一部、または、全部によって与えられる、フラクション物理リソースブロックに決定されたリソースブロックにおいて物理チャネルがマップされないサブキャリアの数である。この場合、物理チャネルの送信にマップされるサブキャリアの数NRB＊NRBSC-Ｘ１−Ｘ２は２ａ２＊３ａ３＊５
ａ５から算出された値と同一になる必要がある。物理チャネルの送信にマップされるサブキャリアの数NRB＊NRBSC-Ｘ１−Ｘ２が２ａ２＊３ａ３＊５ａ５から算出された値と同一
ではなかった場合、端末装置１は、サブキャリアの数NRB＊NRBSC-Ｘ１−Ｘ２と２ａ２＊
３ａ３＊５ａ５から算出された値が同一になるまで、Ｘ１の値またはＸ２の値を１つずつインクリメントする。ここで、端末装置１がＸ１の値をインクリメントするか、Ｘ２の値をインクリメントするかは、ＤＣＩフォーマットに含まれる情報、および／または、ＲＲＣシグナリングなどによって通知されてもよい。また、例えば、端末装置１は、一番高いサブキャリア間隔の値を用いる他の物理チャネルと隣接するリソースに対応するフラクション物理リソースブロックのサブキャリアの数Ｘを優先してインクリメントしてもよい。また、例えば、端末装置１は、制御チャネルと隣接するリソースに対応するフラクション物理リソースブロックのサブキャリアの数Ｘを優先してインクリメントしてもよい。
【０１１５】
ここで、言い換えると、物理チャネルがマップされないサブキャリアの数Ｋは、割り当てられたリソースブロックの数およびベースバンド信号生成方法に基づいて、決定されてもよい。
【０１１６】
以下、本実施形態における装置の構成について説明する。
【０１１７】
図５は、本実施形態の基地局装置３の構成を示す概略ブロック図である。図示するように、基地局装置３は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ／ＯＦＤＭ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５、リソースエレメントマップ処理部５１２、ベースバンド信号生成処理部を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ／ＯＦＤＭ信号受信部５０９は、受信信号やＣＣＡ（Ｃｌｅａｒ  Ｃｈａｎｎｅｌ  Ａｓｓｅｓｓｍｅｎｔ）、干渉雑音電力の測定部も兼ねている。なお、ＳＣ−ＦＤＭＡ／ＯＦＤＭ信号受信部５０９は、端末装置１がＯＦＤＭ信号の送信をサポートしている場合には、ＯＦＤＭ信号受信部であってもよい。ＳＣ−ＦＤＭＡ／ＯＦＤＭ信号受信部５０９は、端末装置１がＳＣ−ＦＤＭＡ（ＤＦＴ−Ｓ−ＯＦＤＭ）信号の送信をサポートしている場合には、ＳＣ−ＦＤＭＡ信号受信部であってもよい。なお、図示しないが、基地局装置３には、
ＴＡ（Ｔｉｍｉｎｇ  Ａｄｖａｎｃｅ）コマンドを送信する送信部が含まれてもよい。
【０１１８】
下りリンクサブフレーム生成部５０４は、下りリンクＴＴＩ（Ｔｒａｎｓｍｉｔ  Ｔｉｍｅ  Ｉｎｔｅｒｖａｌ）生成部であってもよいし、下りリンクＴＴＩ生成部を含んでもよい。また、下りリンクＴＴＩ生成部は、下りリンクＴＴＩを構成する物理チャネルおよび／または物理信号の生成を行なってもよい。つまり、下りリンクＴＴＩ生成部を含む下りリンクサブフレーム生成部５０４は、送信する物理チャネルおよび／または物理信号に対する系列を生成してもよい。また、下りリンクサブフレーム生成部５０４に含まれるリソースエレメントマップ処理部５１２は、生成した系列を物理リソース（物理リソースエレメント）へマッピングしてもよい。なお、上りリンクについても同様であってもよい。下りリンクサブフレーム生成部５０４は、下りリンクスロット生成部を含んでもよい。つまり、下りリンクサブフレーム生成部５０４は、下りリンクスロットで送信される物理チャネルおよび／または物理信号の生成を行なってもよい。また、下りリンクサブフレーム生成部５０４は、下りリンクミニスロット生成部を含んでもよい。つまり、下りリンクサブフレーム生成部５０４は、下りリンクミニスロットで送信される物理チャネルおよび／または物理信号の生成を行なってもよい。また、リソースエレメントマップ処理部５１２は、送信アンテナポートごとの下りリンク送信シンボル（送信ビット、送信データ）をリソースエレメントにマッピングする処理を行う機能を備えてもよい。リソースエレメントマップ処理部５１２は、フラクション物理リソースブロックに設定されたリソースブロックにおいて、送信シンボルをガードバンドのためにリザーブされたリソースエレメントにマッピングする処理を行わなくてもよい。
【０１１９】
下りリンクサブフレーム生成部５０４に含まれるベースバンド信号生成処理部５１３は、リソースエレメントにマップされた下りリンク送信シンボル（送信ビット、送信データ）を、ＯＦＤＭベースバンド信号に変換する機能を備えてもよい。送信シンボルをＯＦＤＭベースバンド信号に変換する処理は、例えば、逆フーリエ変換処理（IFFT: Inverse Fast Fourier Transform）や、ウィンドウ処理（Windowing）、フィルタリング処理（Filter processing）等を含んでもよい。ベースバンド信号生成処理部５１３において、上位層の信号に含まれる情報に基づき、リソースエレメントにマップされた送信ビットをベースバンド信号に変換する処理を施すか否かが与えられてもよい。ベースバンド信号生成処理部５１３において、制御チャネルに含まれる情報に基づき、リソースエレメントにマップされた送信ビットをベースバンド信号に変換する処理を施すか否かが与えられてもよい。ベースバンド信号生成処理部５１３において、あらかじめ設定される情報に基づき、リソースエレメントにマップされた送信ビットをベースバンド信号に変換する処理を施すか否かが与えられてもよい。
【０１２０】
上りリンクサブフレーム処理部５１０は、上りリンクスロット処理部を含んでもよい。つまり、上りリンクサブフレーム処理部５１０は、上りリンクスロットで送信された物理チャネルおよび／または物理信号の処理を行なってもよい。また、上りリンクサブフレーム処理部５１０は、上りリンクミニスロット処理部を含んでもよい。つまり、下上りリンクサブフレーム処理部５１０は、上りリンクミニスロットで送信される物理チャネルおよび／または物理信号の処理を行なってもよい。
【０１２１】
図６は、本実施形態の端末装置１の構成を示す概略ブロック図である。図示するように、端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ／ＯＦＤＭ信号送信部（ＵＣＩ送信部）６１１、送信アンテナ（端末送信アンテナ）６１３を有する。下りリンクサブフレーム処理部６０３は、下
りリンク参照信号抽出部６０４を有する。なお、下りリンクサブフレーム処理部６０３は、下りリンクＴＴＩ処理部であってもよい。また、下りリンクサブフレーム処理部６０３は、下りリンクスロット処理部を含んでもよい。つまり、下りリンクサブフレーム処理部６０３は、下りリンクスロットで送信される物理チャネルおよび／または物理信号の処理を行なってもよい。また、下りリンクサブフレーム処理部６０３は、下りリンクミニスロット処理部を含んでもよい。つまり、下りリンクサブフレーム処理部６０３は、下りリンクミニスロットで送信される物理チャネルおよび／または物理信号の処理を行なってもよい。また、上りリンクサブフレーム生成部６０９は、上りリンク制御情報生成部（ＵＣＩ生成部）６１０、リソースエレメントマップ処理部６１４、ベースバンド信号生成処理部６１５を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置１がＯＦＤＭ信号の送信をサポートしている場合には、ＳＣ−ＦＤＭＡ／ＯＦＤＭ信号送信部は、ＯＦＤＭ信号送信部であってもよい。端末装置１がＳＣ−ＦＤＭＡ（ＤＦＴ−Ｓ−ＯＦＤＭ）信号の送信をサポートしている場合には、ＳＣ−ＦＤＭＡ／ＯＦＤＭ信号送信部は、ＳＣ−ＦＤＭＡ信号送信部であってもよい。
【０１２２】
上りリンクサブフレーム生成部６０９は、上りリンクＴＴＩ生成部であってもよいし、上りリンクＴＴＩ生成部を含んでもよい。上りリンクＴＴＩ生成部は、上りリンクＴＴＩを構成する物理チャネルおよび／または物理信号の生成を行なってもよい。つまり、上りリンクＴＴＩ生成部を含む上りリンクサブフレーム生成部６０９は、送信する物理チャネルおよび／または物理信号に対する系列を生成してもよい。また、上りリンクサブフレーム生成部６０９に含まれるリソースエレメントマップ処理部６１４は、生成した系列を物理リソース（物理リソースエレメント）へマッピングしてもよい。また、上りリンクサブフレーム生成部６０９は、上りリンクスロット生成部を含んでもよい。つまり、上りリンクサブフレーム生成部６０９は、上りリンクスロットで送信される物理チャネルおよび／または物理信号の生成を行なってもよい。また、上りリンクサブフレーム生成部６０９は、上りリンクミニスロット生成部を含んでもよい。つまり、上りリンクサブフレーム生成部６０９は、上りリンクミニスロットで送信される物理チャネルおよび／または物理信号の生成を行なってもよい。また、リソースエレメントマップ処理部６１４は、送信アンテナポートごとの上りリンク送信シンボル（送信ビット、送信データ）をリソースエレメントにマッピングする処理を行う機能を備えてもよい。リソースエレメントマップ処理部６１４は、フラクション物理リソースブロックに設定されたリソースブロックにおいて、上りリンク送信シンボルをガードバンドのためにリザーブされたリソースエレメントにマッピングする処理を行わなくてもよい。また、端末装置１は、上りリンク信号の送信電力を制御／セットするための電力制御部を含んでもよい。なお、図示しないが、端末装置１には、端末装置１の受信と送信間の時間差を測定するための測定部が含まれてもよい。また、端末装置１には、時間差の測定結果を報告する送信部が含まれてもよい。
【０１２３】
上りリンクサブフレーム生成部６０９に含まれるベースバンド信号生成処理部６１５は、リソースエレメントにマップされた上りリンク送信シンボル（送信ビット、送信データ）を、ＯＦＤＭベースバンド信号またはＳＣ−ＦＤＭＡベースバンド信号に変換する機能を備えてもよい。上りリンク送信シンボルをＯＦＤＭベースバンド信号またはＳＣ−ＦＤＭＡベースバンド信号に変換する処理は、例えば、フーリエ変換処理（FFT: Fast Fourier Transform）や、逆フーリエ変換処理（IFFT: Inverse Fast Fourier Transform）や、
ウィンドウ処理（Windowing）、フィルタリング処理（Filter processing）等を含んでもよい。ベースバンド信号生成処理部６１５において、上位層の信号に含まれる情報に基づき、リソースエレメントにマップされた送信ビットをベースバンド信号に変換する処理を施すか否かが与えられてもよい。ベースバンド信号生成処理部６１５において、制御チャネルに含まれる情報に基づき、リソースエレメントにマップされた送信ビットをベースバンド信号に変換する処理を施すか否かが与えられてもよい。ベースバンド信号生成処理部
６１５において、あらかじめ設定される情報に基づき、リソースエレメントにマップされた送信ビットをベースバンド信号に変換する処理を施すか否かが与えられてもよい。
【０１２４】
図５と図６のそれぞれにおいて、上位層は、ＭＡＣ（Ｍｅｄｉｕｍ  Ａｃｃｅｓｓ  Ｃｏｎｔｒｏｌ）層やＲＬＣ（Ｒａｄｉｏ  Ｌｉｎｋ  Ｃｏｎｔｒｏｌ）層、ＰＤＣＰ（Ｐａｃｋｅｔ  Ｄａｔａ  Ｃｏｎｖｅｒｇｅｎｃｅ  Ｐｒｏｔｏｃｏｌ）層、ＲＲＣ（Ｒａｄｉｏ  Ｒｅｓｏｕｒｃｅ  Ｃｏｎｔｒｏｌ）層を含んでもよい。なお、上位層は上位層処理部と称されてもよい。
【０１２５】
ＲＬＣ層は、上位層（例えば、ＰＤＣＰ層やＲＲＣ層）へＴＭ（Ｔｒａｎｓｐａｒｅｎｔ  Ｍｏｄｅ）データ伝送、ＵＭ（Ｕｎａｃｋｎｏｗｌｅｄｇｅｄ  Ｍｏｄｅ）データ伝送、上位層のＰＤＵ（Ｐａｃｋｅｔ  Ｄａｔａ  Ｕｎｉｔ）の伝送が成功したことを示すインディケーションを含むＡＭ（Ａｃｋｎｏｗｌｅｄｇｅｄ  Ｍｏｄｅ）データ伝送を行なう。また、下位層へはデータ伝送と、送信機会において送信されたＲＬＣ  ＰＤＵの全サイズとともに、送信機会の通知を行なう。
【０１２６】
ＲＬＣ層は、上位層のＰＤＵの伝送に関する機能、（ＡＭデータ伝送に対してだけ）ＡＲＱ（Ａｕｔｏｍａｔｉｃ  Ｒｅｐｅａｔ  ｒｅＱｕｅｓｔ）を介したエラー補正に関する機能、（ＵＭとＡＭデータ伝送に対してだけ）ＲＬＣ  ＳＤＵ（Ｓｅｒｖｉｃｅ  Ｄａｔａ  Ｕｎｉｔ）の結合／分割／再構築に関する機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０１２７】
まず、図５および図６を用いて、下りリンクデータの送受信の流れについて説明する。基地局装置３において、制御部５０２は、下りリンクにおける変調方式および符号化率などを示すＭＣＳ（Ｍｏｄｕｌａｔｉｏｎ  ａｎｄ  Ｃｏｄｉｎｇ  Ｓｃｈｅｍｅ）、データ送信に用いるＲＢを示す下りリンクリソース割り当て、ＨＡＲＱの制御に用いる情報（リダンダンシーバージョン、ＨＡＲＱプロセス番号、ＮＤＩ（Ｎｅｗ  Ｄａｔａ  Ｉｎｄｉｃａｔｏｒ））を保持し、これらに基づいてコードワード生成部５０３や下りリンクサブフレーム生成部５０４を制御する。上位層５０１から送られてくる下りリンクデータ（下りリンクトランスポートブロック、下りリンク共用データ、下りリンク共用トランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレーム／下りリンクスロット／下りリンクミニスロットが生成される。まず、コードワード生成部５０３において生成されたコードワードは、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。また、変調シンボル系列は、一部のＲＢ内のＲＥにマッピングされ、プレコーディング処理によりアンテナポート毎の下りリンクサブフレーム／下りリンクスロット／下りリンクミニスロットが生成される。このとき、上位層５０１から送られてくる送信データ系列は、上位層における制御情報（例えば専用（個別）ＲＲＣシグナリング）である上位層制御情報を含む。また、下りリンク参照信号生成部５０５では、下りリンク参照信号が生成される。下りリンクサブフレーム生成部５０４に含まれるリソースエレメントマップ処理部５１２は、制御部５０２の指示により、下りリンク参照信号を下りリンクサブフレーム／下りリンクスロット／下りリンクミニスロット内のＲＥにマッピングする。下りリ
ンクサブフレーム生成部５０４で生成された下りリンクサブフレーム／下りリンクスロット／下りリンクミニスロットは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４に含まれるリソースエレメントマップ処理部５１２は、物理制御チャネル／物理共用チャネルなどの物理層の下りリンク制御チャネルを生成して下りリンクサブフレーム内の下りリンクスロットおよび／または下りリンクミニスロットのＲＥにマッピングする能力も有することができる。複数の基地局装置は、それぞれ個別の下りリンクサブフレームに含まれる下りリンクスロットまたは下りリンクミニスロットを送信する。
【０１２８】
端末装置１では、受信アンテナ６０１を介して、ＯＦＤＭ信号受信部６０２においてＯＦＤＭ信号が受信され、ＯＦＤＭ復調処理が施される。
【０１２９】
下りリンクサブフレーム処理部６０３は、まず、物理制御チャネルなどの物理層の下りリンク制御チャネルを検出する。より具体的には、下りリンクサブフレーム処理部６０３は、物理制御チャネル／物理共用チャネルが割り当てられる領域において物理制御チャネルが送信されたものとして復号し、予め付加されているＣＲＣ（Cyclic Redundancy Check）ビットを確認する（ブラインド復号）。すなわち、下りリンクサブフレーム処理部６
０３は、物理制御チャネル／物理共用チャネルをモニタリングする。ＣＲＣビットが予め基地局装置から割り当てられたＩＤ（Ｃ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）、ＳＰＳ−Ｃ−ＲＮＴＩ（Ｓｅｍｉ−Ｐｅｒｓｉｓｔｅｎｔ  Ｓｃｈｅｄｕｌｉｎｇ−Ｃ−ＲＮＴＩ）など１つの端末に対して１つ割り当てられる端末固有識別子（ＵＥＩＤ）、あるいはＴｅｍｐｏｒａｌｙ  Ｃ−ＲＮＴＩ）と一致する場合、下りリンクサブフレーム処理部６０３は、物理制御チャネル／物理共用チャネルを検出できたものと認識し、検出した物理制御チャネルに含まれるＤＣＩを用いて物理共用チャネルを取り出す。
【０１３０】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４に含まれるリソースエレメントマップ処理部５１２おけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレーム／下りリンクスロット／下りリンクミニスロットからＤＬＲＳを取り出す。
【０１３１】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層の制御情報が含まれており、上位層６０７は上位層の制御情報に基づいて制御部６０６に必要な物理層パラメータを知らせる。なお、複数の基地局装置３は、それぞれ個別の下りリンクサブフレーム／下りリンクスロット／下りリンクミニスロットを送信しており、端末装置１ではこれらを受信するため、上述の処理を複数の基地局装置３毎の下りリンクサブフレーム／下りリンクスロット／下りリンクミニスロットに対して、それぞれ行なってもよい。このとき、端末装置１は複数の下りリンクサブフレーム／下りリンクスロット／下りリンクミニスロットが複数の基地局装置３から送信されてい
ると認識してもよいし、認識しなくてもよい。認識しない場合、端末装置１は、単に複数のセルにおいて複数の下りリンクサブフレーム／下りリンクスロット／下りリンクミニスロットが送信されていると認識するだけでもよい。また、トランスポートブロック抽出部６０５では、トランスポートブロックが正しく検出できたか否かを判定し、判定結果は制御部６０６に送られる。
【０１３２】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０１３３】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、チャネル状態測定部６０８において、基地局装置３からのビーム強度の測定、または、ビームに対応するリソースの検出を行なってもよい。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレーム／下りリンクスロット／下りリンクミニスロットに対して、それぞれ行なう。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含む物理共用チャネルと、上りリンク制御情報生成部６１０において生成される物理制御チャネルとが上りリンクサブフレーム内の上りリンクスロットまたは上りリンクミニスロットのＲＢにリソースエレメントマップ処理部６１４によってマッピングされ、上りリンクスロットまたは上りリンクミニスロットが生成される。
【０１３４】
受信アンテナ５０８を介して、ＳＣ−ＦＤＭＡ／ＯＦＤＭ信号受信部５０９においてＳＣ−ＦＤＭＡ信号またはＯＦＤＭ信号が受信され、ＳＣ−ＦＤＭＡ復調処理またはＯＦＤＭ復調処理が施される。上りリンクサブフレーム処理部５１０では、制御部５０２の指示により、物理制御チャネルがマッピングされたＲＢを抽出し、上りリンク制御情報抽出部５１１において物理制御チャネルに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱ、送信ビーム、受信ビームなど）の制御に用いられる。
【０１３５】
基地局装置３が備える符号５０１から符号５１３が付された部のそれぞれは、回路として構成されてもよい。端末装置１が備える符号６０１から符号６１５が付された部のそれ
ぞれは、回路として構成されてもよい。
【０１３６】
以下、本実施形態における、端末装置１および基地局装置３の種々の態様について説明する。
【０１３７】
（１）上記の目的を達成するために、本発明の態様は、以下のような手段を講じた。すなわち、本発明の第１の態様は、端末装置であって、ＰＤＣＣＨを受信し、前記ＰＤＣＣＨに含まれる情報によって割り当てられるリソースにおいて、物理チャネルを送信、または、受信する送受信部を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）であり、前記第８の要素はＤＣＩフォーマットに含まれる情報であり、前記第９の要素は前記物理チャネルの送信または受信に用いるベアラ（データ）のタイプである。
【０１３８】
（２）また、本発明の第１の態様において、前記フラクション物理リソースブロックに決定された前記リソースブロックにおいて、物理チャネルがマップされないサブキャリアの数Xは、第１０の要素と第１１の要素と第１２の要素と第１３の要素と第１４の要素と
第１５の要素と第１６の要素の一部または全部に少なくとも基づき与えられ、前記第１０の要素は前記物理チャネルの送信または受信に用いられるサブキャリア間隔情報であり、前記第１１の要素は前記インデックス情報によって示された前記インデックスのリソースブロックのそれぞれに対して個別に設定される情報であって、Ｘを示す情報であり、前記第１２の要素は前記物理チャネルの送信または受信に用いられるMCSの情報であり、前記
第１３の要素はＤＣＩフォーマットに含まれる情報であり、前記第１４の要素はＲＲＣシグナリング（RRCメッセージ）であり、前記第１５の要素は前記物理チャネルの送信また
は受信に用いられるトランスミッションスキームであり、前記第１６の要素は前記物理チャネルのベースバンド信号生成方法である。
【０１３９】
（３）また、本発明の第２の態様は、基地局装置であって、ＰＤＣＣＨを送信し、前記ＰＤＣＣＨに含まれる情報によって割り当てられるリソースにおいて、物理チャネルを送信、または、受信する送受信部を備え、前記リソースの帯域は、リソースブロックによって示され、前記リソースの帯域が対応する前記リソースブロックが、フラクション物理リソースブロックを含むかどうかは、第１の要素と第２の要素と第３の要素と第４の要素と第５の要素と第６の要素と第７の要素と第８の要素と第９の要素の一部または全部に少なくとも基づいて決定され、前記第１の要素は前記物理チャネルの送信または受信に用いられるサブキャリア間隔情報であり、前記第２の要素はフラクション物理リソースブロックに設定されたリソースブロックのインデックスを示すインデックス情報であり、前記第３の要素は時間領域における前記割り当てられたリソースを構成するシンボルの数であり、前記第４の要素は周波数領域における前記割り当てられたリソースに対応するリソースブロックの数であり、前記第５の要素は前記物理チャネルのタイプ、および／または、隣接の物理チャネルのタイプであり、前記第６の要素は前記物理チャネルの送信または受信に用いられるMCSの情報であり、前記第７の要素はＲＲＣシグナリング（RRCメッセージ）で
あり、前記第８の要素はＤＣＩフォーマットに含まれる情報であり、前記第９の要素は前記物理チャネルの送信または受信に用いるベアラ（データ）のタイプである。
【０１４０】
（４）また、本発明の第２の態様において、前記フラクション物理リソースブロックに決定された前記リソースブロックにおいて、物理チャネルがマップされないサブキャリアの数Xは、第１０の要素と第１１の要素と第１２の要素と第１３の要素と第１４の要素と
第１５の要素と第１６の要素の一部または全部に少なくとも基づき与えられ、前記第１０の要素は前記物理チャネルの送信または受信に用いられるサブキャリア間隔情報であり、前記第１１の要素は前記インデックス情報によって示された前記インデックスのリソースブロックのそれぞれに対して個別に設定される情報であって、Ｘを示す情報であり、前記第１２の要素は前記物理チャネルの送信または受信に用いられるMCSの情報であり、前記
第１３の要素はＤＣＩフォーマットに含まれる情報であり、前記第１４の要素はＲＲＣシグナリング（RRCメッセージ）であり、前記第１５の要素は前記物理チャネルの送信また
は受信に用いられるトランスミッションスキームであり、前記第１６の要素は前記物理チャネルのベースバンド信号生成方法である。
【０１４１】
これにより、端末装置１は効率的に上りリンク送信または下りリンク受信を行うができる。また、基地局装置３は効率的に上りリンク送信の受信または下りリンク送信を行うことができる。
【０１４２】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１４３】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１４４】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１４５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１４６】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全
部を備えてもよい。装置グループとして、基地局装置３の一通りの各機能または各機能ブロックを有していればよい。また、上述した実施形態に関わる端末装置１は、集合体としての基地局装置と通信することも可能である。
【０１４７】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１４８】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１４９】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５１】
１（１Ａ、１Ｂ、１Ｃ）  端末装置
３        基地局装置
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ／ＯＦＤＭ信号受信部
５１０  上りリンクサブフレーム処理部
５１１  上りリンク制御情報抽出部
５１２  リソースエレメントマップ処理部
５１３  ベースバンド信号生成処理部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１  ＳＣ−ＦＤＭＡ／ＯＦＤＭ信号送信部
６１３  送信アンテナ
６１４  リソースエレメントマップ処理部
６１５  ベースバンド信号生成処理部
【図１】
2020036056.tif 000003
【図２】
2020036056.tif 000004
【図３】
2020036056.tif 000005
【図４】
2020036056.tif 000006
【図５】
2020036056.tif 000007
【図６】
2020036056.tif 000008
【図７】
2020036056.tif 000009
【図８】
2020036056.tif 000010
【図９】
2020036056.tif 000011
【図１０】
2020036056.tif 000012
【図１１】
2020036056.tif 000013
【図１２】
2020036056.tif 000014